(57)【特許請求の範囲】
【請求項１】
第１の辺と、当該第１の辺と直交する第２の辺を有する第１の面に第１の表示部が設けられた第１の筐体と、
第３の辺と、当該第３の辺と直交する第４の辺を有する第２の面に第２の表示部が設けられた第２の筐体と、
一方の端部が前記第１の筐体の第１の位置に固定され、他方の端部が前記第２の筐体の第２の位置に固定され、前記第１の筐体と前記第２の筐体とを連結する第１の連結手段と、
一方の端部が前記第２の筐体の前記第２の位置とは異なる第３の位置に固定され、他方の端部が前記第１の筐体の前記第１の位置とは異なる第４の位置で固定され、前記第１の筐体と前記第２の筐体とを連結する第２の連結手段と、
を有し、前記第１の面と前記第２の面とが略同一の方向を向き、前記第１の辺が前記第３の辺の延長線上に位置する第１の状態と、前記第１の面と前記第２の面とが同一の方向を向き、前記第２の辺が前記第４の辺の延長線上に位置する第２の状態とに、前記第１の筐体と前記第２の筐体との相対的な配置を変更できる表示装置であって、
前記第１の連結手段は、前記表示装置が前記第１の状態である場合に、前記第２の筐体の角部よりも前記第１の筐体の角部と多く接し、前記表示装置が前記第２の状態である場合に、前記第１の筐体の前記角部よりも前記第２の筐体の前記角部と多く接し、
前記第２の連結手段は、前記表示装置が前記第１の状態である場合に、前記第１の筐体の前記角部よりも前記第２の筐体の前記角部と多く接し、前記表示装置が前記第２の状態である場合に、前記第２の筐体の前記角部よりも前記第２の筐体の前記角部と多く接し、
前記第１の連結手段および前記第２の連結手段は、弾性を有するワイヤーであることを特徴とする表示装置。
【請求項２】
前記第１の連結手段は、前記表示装置が前記第１の状態である場合に、前記第１の筐体の２つ以上の異なる角部と接し、前記表示装置が前記第２の状態である場合に、前記第２の筐体の２つ以上の異なる角部と接し、
前記第２の連結手段は、前記表示装置が前記第１の状態である場合に、前記第２の筐体の２つ以上の異なる角部と接し、前記表示装置が前記第２の状態である場合に、前記第１の筐体の２つ以上の異なる角部と接することを特徴とする請求項１に記載の表示装置。
【請求項３】
前記第１の連結手段および前記第２の連結手段は、前記表示装置が前記第１の状態である場合に、前記第１の筐体の前記第２の辺と前記第２の筐体の前記第４の辺に該当する位置であって、前記第１の筐体と前記第２の筐体との間を通過し、前記表示装置が前記第２の状態である場合に、前記第１の筐体の前記第１の辺と前記第２の筐体の前記第３の辺に該当する位置であって、前記第１の筐体と前記第２の筐体との間を通過することを特徴とする請求項２に記載の表示装置。
【請求項４】
前記第１の筐体は、前記第１の面の反対側に第３の面を備え、
前記第２の筐体は、前記第２の面の反対側に第４の面を備え、
前記第１の連結手段は、前記表示装置が前記第１の状態である場合に、前記第１の筐体の前記第３の面と、当該第３の面の略直交する２つの側面とによって形成される２つの角部と接し、前記表示装置が前記第２の状態である場合に、前記第２の筐体の前記第４の面と、当該第４の面の略直交する２つの側面とによって形成される２つの角部と接し、
前記第２の連結手段は、前記表示装置が前記第１の状態である場合に、前記第２の筐体の前記第４の面と、当該第４の面の略直交する２つの側面とによって形成される２つの角部と接し、前記表示装置が前記第２の状態である場合に、前記第１の筐体の前記第３の面と、当該第３の面の略直交する２つの側面とによって形成される２つの角部と接することを特徴とする請求項２又は３に記載の表示装置。
【請求項５】
前記第１の位置は、前記第１の筐体の前記第１の辺の近傍かつ前記第１の表示部とは重畳しない位置であって、
前記第２の位置は、前記第２の筐体の前記第４の辺の近傍かつ前記第２の表示部とは重畳しない位置であって、
前記第３の位置は、前記第２の筐体の前記第３の辺の近傍かつ前記第２の表示部とは重畳しない位置であって、
前記第４の位置は、前記第１の筐体の前記第２の辺の近傍かつ前記第１の表示部とは重畳しない位置である、ことを特徴とする請求項１乃至４の何れか一項に記載の表示装置。
【請求項６】
前記第１の筐体は、前記第１の面に、前記表示装置が前記第１の状態である場合に前記第１の連結手段を導く第１の溝部を有し、
前記第２の筐体は、前記第２の面に、前記表示装置が前記第１の状態である場合に前記第２の連結手段を導く第２の溝部を有することを特徴とする請求項１乃至５何れか一項に記載の表示装置。
【請求項７】
前記第１の溝部は、前記表示装置が前記第２の状態である場合に、前記第２の連結手段を導き、
前記第２の溝部は、前記表示装置が前記第２の状態である場合に、前記第１の連結手段を導くことを特徴とする請求項６記載の表示装置。
【請求項８】
前記第１の溝部は、前記第１の面および前記第２の面と直交する方向において、前記第１の筐体の前記第１の辺と前記第２の筐体の前記第３の辺同士と、前記第１の筐体の前記第２の辺と前記第２の筐体の前記第４の辺同士とが重畳するように、前記第１の筐体と前記第２の筐体の相対的な配置を変更した場合に、前記第２の溝部と略一致することを特徴とする請求項６又は７に記載の表示装置。
【請求項９】
前記第１の溝部は、前記表示装置が前記第１の状態である場合に、前記第２の辺および前記第４の辺を中心線とする前記第２の溝部と線対称となる位置に設けられており、前記表示装置が前記第２の状態である場合に、前記第１の辺および前記第３の辺を中心線とする前記第２の溝部と線対称となる位置に設けられていることを特徴とする請求項６乃至８の何れか一項に記載の表示装置。
【請求項１０】
前記第１の表示部および前記第２の表示部に表示させる画像を制御する表示制御手段を有し、
前記表示制御手段は、前記表示装置が前記第１の状態である場合と前記第２の状態である場合とで、前記第１の表示部および前記第２の表示部に表示させる画像の大きさを異ならせることを特徴とする請求項１乃至９の何れか一項に記載の表示装置。
【請求項１１】
前記表示制御手段は、前記表示装置が前記第１の状態である場合と前記第２の状態である場合とで、前記第１の表示部および前記第２の表示部に表示させる画像の向きを異ならせることを特徴とする請求項１０に記載の表示装置。
【発明の詳細な説明】
【技術分野】
【０００１】
本発明は、表示部を備えた筐体同士の相対的な配置を変更できる表示装置に関する。
【背景技術】
【０００２】
従来、それぞれが表示部を備えた筐体同士を連結し、当該筐体同士の相対的な配置を変更できる表示装置が知られている。特許文献１では、山折りと谷折りが可能な連結具によって２つの筐体同士が連結されたディスプレイ装置について提案されている（例えば、図１３および図１４など）。
【先行技術文献】
【特許文献】
【０００３】
【特許文献１】特開２０１０−２６６７５２号公報
【発明の概要】
【発明が解決しようとする課題】
【０００４】
しかしながら、特許文献１に記載のディスプレイ装置は、連結具の山折り及び谷折り以外の方向に向けて、２つの筐体同士の相対的な配置を変更することができない。すなわち、特許文献１に記載のディスプレイ装置は、各筐体間において、延長線上に位置する辺同士が異なるように、各筐体同士の相対的な配置を変更することができない。
【０００５】
本発明の目的は、各筐体間において、延長線上に位置する辺同士が異なるように、各筐体同士の相対的な配置を変更することができる表示装置を提供することである。
【課題を解決するための手段】
【０００６】
上記目的を達成する本発明の表示装置は、第１の辺と、当該第１の辺と直交する第２の辺を有する第１の面に第１の表示部が設けられた第１の筐体と、第３の辺と、当該第３の辺と直交する第４の辺を有する第２の面に第２の表示部が設けられた第２の筐体と、一方の端部が前記第１の筐体の第１の位置に固定され、他方の端部が前記第２の筐体の第２の位置に固定され、前記第１の筐体と前記第２の筐体とを連結する第１の連結手段と、一方の端部が前記第２の筐体の前記第２の位置とは異なる第３の位置に固定され、他方の端部が前記第１の筐体の前記第１の位置とは異なる第４の位置で固定され、前記第１の筐体と前記第２の筐体とを連結する第２の連結手段と、を有し、前記第１の面と前記第２の面とが略同一の方向を向き、前記第１の辺が前記第３の辺の延長線上に位置する第１の状態と、前記第１の面と前記第２の面とが同一の方向を向き、前記第２の辺が前記第４の辺の延長線上に位置する第２の状態とに、前記第１の筐体と前記第２の筐体との相対的な配置を変更できる表示装置であって、前記第１の連結手段は、前記表示装置が前記第１の状態である場合に、前記第２の筐体の角部よりも前記第１の筐体の角部と多く接し、前記表示装置が前記第２の状態である場合に、前記第１の筐体の前記角部よりも前記第２の筐体の前記角部と多く接し、前記第２の連結手段は、前記表示装置が前記第１の状態である場合に、前記第１の筐体の前記角部よりも前記第２の筐体の前記角部と多く接し、前記表示装置が前記第２の状態である場合に、前記第２の筐体の前記角部よりも前記第２の筐体の前記角部と多く接し、前記第１の連結手段および前記第２の連結手段は、弾性を有するワイヤーであることを特徴とする。
【発明の効果】
【０００７】
本発明によれば、各筐体間において、延長線上に位置する辺同士が異なるように、各筐体同士の相対的な配置を変更することができる表示装置を提供することができる。
【図面の簡単な説明】
【０００８】
【図１】本発明を実施する表示装置の第１実施形態である表示装置１００の構成を説明する三面図ある。
【図２】本発明を実施する表示装置の第１実施形態である表示装置１００の内部構成を説明するブロック図である。
【図３】本発明を実施する表示装置の第１実施形態である表示装置１００を構成する第１のパネル１０１の四面図である。
【図４】本発明の第１実施形態に係る第１のパネル１０１および第２のパネル１０２の各溝部の拡大断面を例示的に説明した拡大断面図である。
【図５】本発明を実施する表示装置の第１実施形態である表示装置１００の展開状態および折り畳み状態を例示的に説明する図である。
【図６】本発明を実施した表示装置の第１実施形態である表示装置１００の状態を横展開状態から収納状態Ａに変更する場合を例示的に説明する図である。
【図７】本発明を実施した表示装置の第１実施形態である表示装置１００の状態を横展開状態から両面状態に変更する場合を例示的に説明する図である。
【図８】本発明を実施した表示装置の第１実施形態である表示装置１００の状態を縦展開状態から両面状態へと変更する場合を例示的に説明する図である。
【図９】本発明を実施する表示装置の第１実施形態である表示装置１００の表示制御処理を説明するフローチャートである。
【図１０】本発明を実施する表示装置の第１実施形態である表示装置１００の各表示部への画像の表示方法を例示的に説明する図である。
【図１１】本発明を実施する表示装置の第２実施形態である表示装置２００の構成を説明する図である。
【図１２】本発明を実施する表示装置の第２実施形態である表示装置３００の構成を説明する図である。
【図１３】本発明を実施する表示装置の第２実施形態である表示装置４００の構成を説明する図である。
【図１４】本発明の変形例に係る撮像装置５００を構成する表示装置６００が両面状態かつ第１の表示位置に位置しており、第１の表示部６０１がユーザ側を向いている状態を例示的に説明する図である。
【図１５】本発明の変形例に係る撮像装置５００を構成する表示装置６００が両面状態かつ第２の表示位置に位置しており、第１の表示部６０２がユーザ方向を向いている状態を例示的に説明する図である。
【図１６】本発明の変形例に係る撮像装置５００を構成する表示装置６００が縦展開状態かつ第２の表示位置に位置しており、第１の表示部６０１および第２の表示部６０２がユーザ方向を向いている状態を例示的に説明する図である。
【図１７】本発明の変形例に係る撮像装置５００を構成する表示装置６００が横展開状態かつ第２の表示位置に位置しており、第１の表示部６０１および第２の表示部６０２がユーザ方向を向いている状態を例示的に説明する図である。
【図１８】本発明の変形例に係る撮像装置５００を構成する表示装置６００が縦展開状態かつ第２の表示位置に位置しており、第１の表示部６０１および第２の表示部６０２がユーザ方向の反対を向いている状態を例示的に説明する図である。
【図１９】本発明の変形例に係る撮像装置５００を構成する表示装置６００が縦展開状態かつ第１の表示位置に位置しており、第１の表示部６０１および第２の表示部６０２がユーザ方向を向いている状態を例示的に説明する図である。
【図２０】図２０は、本発明の変形例に係る撮像装置５００を構成する表示装置６００が収納状態かつ第１の表示位置に位置している状態を例示的に説明する図である。
【発明を実施するための形態】
【０００９】
（第１実施形態）
以下に、本発明の好ましい実施の形態を、添付の図面に基づいて詳細に説明する。まず、本実施形態に係る表示装置である表示装置１００の構成について図１〜１０を参照して説明する。図１は、本発明を実施する表示装置の第１実施形態である表示装置１００の構成を説明する三面図あって、表示装置１００の正面図、下側面図（底面図）、背面図を示している。本実施形態の表示装置１００は、平板状の直方体である第１のパネル（第１の筐体）１０１と第２のパネル（第２の筐体）１０２によって構成されている。
【００１０】
第１のパネル１０１は第１の表示部１０１ａを備え、第２のパネル１０２は第２の表示部１０２ａを備えている。なお、第１の表示部１０１ａおよび第２の表示部１０２ａのそれぞれは、隣り合う辺の長さが異なる矩形状である。
【００１１】
本実施形態では、それぞれの表示部として、ＴＦＴ型ＬＣＤ（薄膜トランジスタ駆動型液晶表示器）を採用する構成であるが、有機ＥＬ素子（有機エレクトロルミネッセンス素子）などによって形成された表示部を採用するような構成であってもよい。なお、第１の表示部１０１ａは、第１の表示制御回路１１０によって表示内容が制御され、第２の表示部１０２ａは、第２の表示制御回路１２０によって表示内容が制御される構成である。
【００１２】
図１に図示するように、第１のパネル１０１は、第１の表示部１０１ａが設けられたＡ面を正面（第１の面）とし、その反対側のＢ面を背面（第３の面）とする。また、第１のパネル１０１は、後述する溝部１０１ｃ１および溝部１０１ｃ２が設けられている面を左側面としその反対側の面を右側面とする。そして、第１のパネル１０１は、後述する溝部１０１ｂ１および溝部１０１ｂ２が設けられている面を下側面とし、その反対側の面を上側面とする。
【００１３】
なお、表示部１０１ａ方向から見た場合の第１のパネル１０１の下側面側の長辺を辺１（第１の辺）とし、第１のパネル１０１の右側面側の短辺を辺２（第２の辺）とする。そして、当該辺１と辺２とは互いに略直交している。
【００１４】
また、第２のパネル１０２は、第２の表示部１０１ａが設けられたＡ面を正面（第２の面）とし、その反対側のＢ面を背面（第４の面）とする。また、第２のパネル１０２は、後述する溝部１０２ｃ１および溝部１０２ｃ２が設けられている面を右側面としその反対側の面を左側面とする。そして、第２のパネル１０２は、後述する溝部１０２ｂ１および溝部１０２ｂ２が設けられている面を下側面とし、その反対側の面を上側面とする。
【００１５】
なお、表示部１０２ａ方向から見た場合の第２のパネル１０２の下側面側の長辺を辺３（第３の辺）とし、第２のパネル１０２の左側面側の短辺を辺４（第４の辺）とする。そして、当該辺３と辺４とは互いに略直交している。
【００１６】
表示装置１００は、第１のパネル１０１と第２のパネル１０２の相対的な配置を変更することで複数の状態に変更することができる表示装置であって、第１の表示部１０１ａと第２の表示部１０２ａとが同一の方向を向いている状態を展開状態とする。すなわち、第１のパネル１０１と第２のパネル１０２のＡ面同士（Ｂ面同士）が同一の方向を向いている状態を、表示装置１００の展開状態とする。
【００１７】
上述した表示装置１００の展開状態のうち、第１のパネル１０１の左側面と第２のパネル１０２の右側面とが接した展開状態を横展開状態とし、第１のパネル１０１の下側面と第２のパネル１０２の上側面とが接した展開状態を縦展開状態とする。
【００１８】
すなわち、第１のパネル１０１の辺１の延長線上に第２のパネル１０２の辺３が位置する状態を、表示装置１００の横展開状態（第１の状態）とする。また、第１のパネル１０１の辺２との延長線上に第２のパネル１０２の辺４が位置する状態を、表示装置１００の縦展開状態（第２の状態）とする。
【００１９】
また、表示装置１００は、第１のパネル１０１と第２のパネル１０２のＡ面同士が向かい合い、Ｂ面同士がそれぞれ異なる方向を向く状態を収納状態とする。すなわち、第１のパネル１０１の第１の表示部１０１ａと第２のパネル１０２の第２の表示部１０２ａとが互いに向かい合う状態を、表示装置１００の収納状態とする。
【００２０】
この収納状態としては、収納状態Ａおよび収納状態Ｂの２つの状態にすることができる。上述した、収納状態ＡとＢとは、第１のパネル１０１と第２のパネル１０２上において、後述する各ワイヤーが導かれる溝部がそれぞれ異なる。この詳細については後述する。
【００２１】
また、表示装置１００は、第１のパネル１０１と第２のパネル１０２のＢ面同士が向かい合い、Ａ面同士がそれぞれ異なる方向を向く状態を両面状態とする。すなわち、第１のパネル１０１の第１の表示部１０１ａと第２のパネル１０２の第２の表示部１０２ａとが露出し、それぞれが異なる方向を向く状態を、表示装置１００の両面状態とする。
【００２２】
以上説明した、表示装置１００の展開状態から収納状態、または表示装置１００の展開状態から両面状態へと移行するまでの表示装置１００の状態を移行状態とする。
【００２３】
なお、表示装置１００の収納状態および両面状態では、各表示部の表示面と直交する方向から表示装置１００を見て、第１のパネル１０１の辺１と第２のパネル１０２の辺３同士が互いに重畳（略一致）する。また、表示装置１００の収納状態および両面状態では、各表示部の表示面と直交する方向から表示装置１００を見て、第１のパネル１０１の辺２と第２のパネル１０２の辺４同士が互いに重畳（略一致）する。
【００２４】
図２を参照して表示装置１００の内部構成について説明する。図２は、本発明を実施する表示装置の第１実施形態である表示装置１００の内部構成を説明するブロック図である。第１のパネル１０１は、第１の表示制御回路１１０、第１の電源部１１１、第１の通信部１１２、そして、第１の表示部１０１ａを備えている。また、第２のパネル１０２は、第２の表示制御回路１２０、第２の電源部１２１、第２の通信部１２２、そして、第２の表示部１０２ａを備えている。
【００２５】
第１の表示制御回路１１０は、第１の表示部１０１ａに表示用の画像（表示画像）を表示させるように制御できる表示制御手段である。また、第２の表示制御回路１２０は、第２の表示部１０２ａに表示画像を表示させるように制御できる表示制御手段である。
【００２６】
第１の電源部１１１は、第１のパネル１０１の内部に電力を供給する電力供給手段である。また、第２の電源部１２１は、第２のパネル１０２の内部に電力を供給する電力供給手段である。表示装置１００の不図示の電源がオンされると、第１の電源部１１１から第１の表示制御回路を介して、第１のパネル１０１内の各部に電力が供給される。同様に、第２の電源部１２１から第２の表示制御回路を介して、第２のパネル１０２内の各部に電力が供給される。
【００２７】
第１の通信部１１２および第２の通信部１２２は、第１の表示制御回路１１０および第２の表示制御回路１２０からの指示に応じて、第１のパネル１０１と第２のパネル１０２との間で種々のデータを送受信するための通信手段である。
【００２８】
本実施形態において、第１の通信部１１２および第２の通信部１２２は、各表示部に表示させる表示画像に関する情報（表示信号）を無線通信によって送受信する構成である。したがって、上述した表示信号を第１のパネル１０１および第２のパネル１０２との間で送受信することによって、第１の表示部１０１ａと第２の表示部１０２ａとで、それぞれ異なる画像や単一の画像を分割した画像を表示させることができる。
【００２９】
なお、本実施形態の表示装置１００では、上述したように第１のパネル１０１および第２のパネル１０２の双方に表示制御回路等を設けるような構成だが、これに限定されるものではない。例えば、第１のパネル１０１または第２のパネル１０２の何れか一方のみに表示制御回路を設けるような構成であってもよい。この場合、当該一方のパネルに設けられた表示制御回路によって、第１のパネル１０１と第２のパネル１０２の双方を統括的に制御する。
【００３０】
また、本実施形態の表示装置１００では、無線通信によって各パネル間の通信をおこなうような構成であるが、これに限定されるものではない。例えば、第１のパネル１０１と第２のパネル１０２の連結手段である後述する各ワイヤーの内部に通信用のケーブルなどを設け、当該通信用のケーブルを用いて各パネル間での通信をおこなうような構成であってもよい。
【００３１】
次に、図３を参照して第１のパネル１０１を詳細に説明する。図３は、本発明を実施する表示装置の第１実施形態である表示装置１００を構成する第１のパネル１０１の四面図であって、正面図、左側面図、下側面図（底面図）、背面図を示している。
【００３２】
第１のパネル１０１は、辺１の長さ（横幅）をＷｐ、辺２の長さ（縦幅）をＨｐ、辺１と平行な第１の表示部１０１ａの辺の長さ（横幅）をＷｄ、辺２と平行な表示部１０１ａの長さ（縦幅）をＨｄとすると、以下の式（１）の関係を満たす。
Ｗｐ＞Ｈｐ，Ｗｄ＞Ｈｄ  （１）
【００３３】
すなわち、第１のパネル１０１の長手方向の辺の長さＷｐは第１の表示部１０１ａの短手方向の辺の長さＨｐより大きい。そして、第１のパネル１０１の長手方向の長さＷｄは第１の表示部１０１ａの長手方向の長さＨｄより大きい。また、本実施形態の第１のパネル１０１は以下の式（２）の関係を満たす。
Ｗｐ：Ｈｄ＝３：２      （２）
【００３４】
なお、式（２）に示したように、本実施形態では、第１のパネル１０１のＷｄとＨｄの比であるアスペクト比として、主に写真に多用される比率を採用したが、これに限定されるものではなく、その他の比率を採用するような構成であってもよい。
【００３５】
本実施形態の第１のパネル１０１では、第１のパネル１０１において、第１のパネル１０１の中心と第１の表示部１０１ａの中心とが略一致するように第１の表示部１０１ａを配置する。この状態で、第１のパネル１０１の縁部の幅（第１の表示部１０１ａの縁から第１のパネル１０１の縁までの距離）が、第１の表示部１０１ａの長手方向の長さＷｄと短手方向の長さＨｄと比較して１０分１以下の大きさとなる。この構成によって、第１のパネル１０１が第２のパネル１０２と連結された際に、第１の表示部１０１ａと第２の表示部１０２ａとの間の距離を比較的小さくすることができる。したがって、本実施形態の表示装置１００は、単一の画像を第１の表示部１０１ａと第２の表示部１０２ａとに分割して表示させる場合であっても、当該単一の画像を閲覧するユーザに与える違和感を抑制することができる。
【００３６】
なお、ユーザが、表示装置１００を用いて画像を閲覧する際の違和感を抑制するためには、第１のパネル１０１の縁部の幅はできるだけ小さくすることが望ましい。そこで、第１の表示部１０１ａを、第１のパネル１０１の中心から後述する溝部１０１ｃ１、１０１ｃ２および１０１ｄ１、１０１ｄ２方向にシフトさせて配置するような構成であってもよい。この構成であれば、展開状態の表示装置１００において、第１の表示部１０１ａと第２の表示部１０２ａと近づけることができるため、画像を閲覧する際にユーザに与える違和感を抑制することができる。
【００３７】
図３に図示するように、第１のパネル１０１には、正面（Ａ面）から下側面（辺１側の側面）を通過して背面（Ｂ面）まで延出した直線形状の溝部が設けられている。当該溝部のうち、第１のパネル１０１の下側面に設けられている溝部が溝部１０１ｂ１および溝部１０１ｂ２である。また、第１のパネル１０１のＢ面に設けられている溝部が溝部１０１ｄ１、溝部１０１ｄ２である。さらに、第１のパネル１０１の左側面に設けられている溝部が溝部１０１ｃ１、溝部１０１ｃ２である。
【００３８】
図３に図示するように、本実施形態の第１のパネル１０１は、辺１において、溝部１０１ｄ１の下側面側の端部と溝部１０１ｂ１の下側面側の端部の位置が一致する。また、第１のパネル１０１は、辺２において、溝部１０１ｄ１の左側面側の端部と溝部１０１ｃ１の左側面側の端部の位置とが一致する。すなわち、第１のパネル１０１には、溝部１０１ｂ１と溝部１０１ｄ１と溝部１０１ｃ１とによって、連続した一連の溝部が形成されている。
【００３９】
同様に、第１のパネル１０１は、辺１において、溝部１０１ｄ２の下側面側の端部と溝部１０１ｂ２の下側面側の端部の位置が一致し、辺２において、溝部１０１ｄ２の左側面側の端部と溝部１０１ｄ２の左側面側の端部の位置が一致する。すなわち、第１のパネル１０１には、溝部１０１ｂ２と溝部１０１ｄ２と溝部１０１ｃ２とによって、連続した一連の溝部が形成されている。
【００４０】
ここで、第１のパネル１０１において、辺１に該当し、Ａ面と下側面とが略直交することで形成された角部を角部１０１ｇ１、１０１ｇ２とする。また、第１のパネル１０１において、辺１に該当し、下側面とＢ面とが略直交することで形成された角部を角部１０１ｈ１、１０１ｈ２とする。また、第１のパネル１０１において、辺２に該当し、Ｂ面と左側面とが略直交することで形成された角部を角部１０１ｉ１、１０１ｉ２とする。さらに、第１のパネル１０１において、辺２に該当し、左側面とＡ面とが略直交することで形成された角部を角部１０１ｊ１、１０１ｊ２とする。
【００４１】
このうち、角部１０１ｇ１、１０１ｈ１、１０１ｉ１、１０１ｊ１は、連続して形成された溝部１０１ｂ１、溝部１０１ｃ１、溝部１０１ｄ１に含まれる角部である。また、角部１０１ｇ２、１０１ｈ２、１０１ｉ２、１０１ｊ２は、連続して形成された溝部１０１ｂ２、溝部１０１ｃ２、溝部１０１ｄ２に含まれる角部である。
【００４２】
なお、上述した第１のパネル１０１と同様に、第２のパネル１０２の表面にも溝部１０２ｂ１〜１０２ｄ２が形成されている。溝部１０２ｂ１と溝部１０２ｃ１と溝部１０２ｄ１、および溝部１０２ｂ２と、溝部１０２ｃ２と、１０２ｄ１とによって、連続した一連の溝部が形成されている。第２のパネル１０２上のそれぞれの溝部は、前述した第１のパネル１０１に形成されている溝部に対応した位置に形成されている。この詳細については後述する。
【００４３】
なお、第１のパネル１０１及び第２のパネル１０２の正面（Ａ面）にも、上述した各溝部から連続した一連の溝部が設けられている。当該Ａ面上の溝部は、各パネル上に設けられた後述する固定部に向けて形成された溝部であって、各パネルの正面に導かれたワイヤーが、パネルの外装から突出することを防ぐために設けられている。
【００４４】
溝部１０１ｂ１および溝部１０１ｄ１は、第１のパネル１０１の下側面およびＢ面において、辺２から距離Ｌｂ１だけ離れた位置に形成されている。また、溝部１０１ｂ２および溝部１０１ｄ２は、第１のパネル１０１の下側面およびＢ面において、辺２から距離Ｌｂ２だけ離れた位置に形成されている。また、溝部１０１ｃ１は、第１のパネル１０１の左側面（辺２側の側面）において、辺１から距離Ｌｃ１だけ離れた位置に形成されている。また、溝部１０１ｃ２は、第１のパネル１０１の左側面（辺２側の側面）において、辺１から距離Ｌｃ２だけ離れた位置に形成されている。なお、距離Ｌｂ２は距離Ｌｂ１よりも大きく、距離Ｌｃ２は距離Ｌｃ１よりも大きい。
【００４５】
図４は、本発明の第１実施形態に係る第１のパネル１０１および第２のパネル１０２の各溝部の拡大断面を例示的に説明した拡大断面図である。図４に図示するように、第１のパネル１０１および第２のパネル１０２の表面には上述したように溝部が形成されており、当該各溝部は各パネル上において、断面が有底のＶ字形状となるように形成されている。
【００４６】
そして、後述する各ワイヤーは、後述する固定部によって端部が固定された状態で、第１のパネル１０１および第２のパネル１０２の表面に形成された溝部に沿って当該溝部内に導かれる。なお、図４に図示するように、各ワイヤーは、所定の溝部内に導かれることで当該溝部に落ち込んだ状態となる。各ワイヤーの詳細については後述する。
【００４７】
次に、第１のパネル１０１に設けられた各固定部について説明する。図３に図示するように、第１のパネル１０１のＡ面の縁部であって第１の表示部１０１ａと重畳しない位置には、固定部１０１ｅ１、固定部１０１ｅ２、固定部１０１ｆ１、固定部１０１ｆ２が設けられている。固定部１０１ｅ１は、後述するワイヤー１０３の一方の端部を固定する固定手段である。固定部１０１ｅ２は、後述するワイヤー１０４の一方の端部を固定する固定手段である。固定部１０１ｆ１は、後述するワイヤー１０５の一方の端部を固定する固定手段である。固定部１０１ｆ２は、後述するワイヤー１０６の一方の端部を固定する固定手段である。
【００４８】
なお、固定部１０１ｅ１および固定部１０１ｅ２は、第１のパネル１０１のＡ面の縁部のうち、下側面側（第１の辺側）近傍の位置（第１の位置）に設けられている。また、固定部１０１ｆ１および固定部１０１ｆ２は、第１のパネル１０１のＡ面の縁部のうち、左側面側（第２の辺側）近傍の位置（第４の位置）に設けられている。以上が第１のパネル１０１の説明である。
【００４９】
以下、第２のパネル１０２の詳細について説明する。なお、第２のパネル１０２の構成は、上述した第１のパネル１０１と略同一であるため、第２のパネル１０２と第１のパネル１０１との差異についてのみ以下に説明する。
【００５０】
本実施形態の第２のパネル１０２は、辺３において、溝部１０２ｄ１の下側面側の端部と溝部１０２ｂ１の下側面側の端部の位置が一致し、辺４において、溝部１０２ｄ１の右側面側の端部と溝部１０２ｃ１の右側面側の端部の位置が一致する。すなわち、第２のパネル１０２には、溝部１０２ｂ１と溝部１０２ｄ１と溝部１０２ｃ１とによって、連続した一連の溝部が形成されている。同様に、第２のパネル１０２は、辺３において、溝部１０２ｄ２の下側面側の端部と溝部１０２ｂ２の下側面側の端部の位置が一致し、辺４において、溝部１０２ｄ２の右側面側の端部と溝部１０２ｄ２の右側面側の端部の位置が一致する。すなわち、第２のパネル１０２には、溝部１０２ｂ２と溝部１０２ｄ２と溝部１０２ｃ２とによって、連続した一連の溝部が形成されている。
【００５１】
また、上述した第１のパネル１０１と同様に、第２のパネル１０２にも角部１０２ｇ１、１０２ｇ２、１０２ｈ１、１０２ｈ２、１０２ｉ１、１０２ｉ２、１０２ｊ１、１０２ｊ２が形成されている。第２のパネル１０２において、辺３に該当し、Ａ面と下側面とが略直交することで形成された角部が角部１０２ｇ１、１０２ｇ２である。
【００５２】
第２のパネル１０２において、辺３に該当し、下側面とＢ面とが略直交することで形成された角部が角部１０２ｈ１、１０２ｈ２である。また、第１のパネル１０１において、辺４に該当し、Ｂ面と右側面とが略直交することで形成された角部が角部１０２ｉ１、１０２ｉ２である。さらに、第２のパネル１０２において、辺４に該当し、右側面とＡ面とが略直交することで形成された角部が角部１０２ｊ１、１０２ｊ２である。このうち、角部１０２ｇ１、１０２ｈ１、１０２ｉ１、１０２ｊ１は、連続して形成された溝部１０２ｂ１、溝部１０２ｃ１、溝部１０２ｄ１に含まれる角部である。また、角部１０２ｇ２、１０２ｈ２、１０２ｉ２、１０２ｊ２は、連続して形成された溝部１０２ｂ２、溝部１０２ｃ２、溝部１０２ｄ２に含まれる角部である。
【００５３】
第２のパネル１０２のＡ面の縁部であって第２の表示部１０２ａと重畳しない位置には、固定部１０２ｅ１、固定部１０２ｅ２、固定部１０２ｆ１、固定部１０２ｆ２が設けられている。固定部１０２ｅ１は、後述するワイヤー１０５の一方の端部を固定する固定手段である。固定部１０２ｅ２は、後述するワイヤー１０６の一方の端部を固定する固定手段である。固定部１０２ｆ１は、後述するワイヤー１０３の一方の端部を固定する固定手段である。固定部１０２ｆ２は、後述するワイヤー１０４の一方の端部を固定する固定手段である。
【００５４】
なお、固定部１０２ｅ１はおよび固定部１０２ｅ２は、第２のパネル１０２のＡ面の縁部のうち、下側面側（第３の辺側）近傍の位置（第３の位置）に設けられている。また、固定部１０２ｆ１および固定部１０２ｆ２は、第２のパネル１０２のＡ面の縁部のうち、左側面側（第４の辺側）近傍の位置（第２の位置）に設けられている。以上が第２のパネル１０２の説明である。
【００５５】
以下、本実施形態における第１のパネル１０１および第２のパネル１０２の相対的な配置を変更可能に連結する連結手段であるワイヤー１０３〜１０６の詳細について説明する。ワイヤー１０３〜１０６は合成繊維や金属材料によって成形される線形状の連結手段であって、第１のパネル１０１と第２のパネル１０２とを折り畳み自在に連結している。
【００５６】
なお、ワイヤー１０３〜１０６はそれぞれ、線方向への弾性と、曲げ方向への柔軟性を有している。また、各ワイヤーの両端部は、端部同士が結合していない形状の連結手段である。すなわち、本実施形態のワイヤー１０３〜１０６は非ループ形状である。
【００５７】
上述したワイヤー１０３〜１０６は、各ワイヤーの線方向に張力が生じるように、両端が引っ張られた状態で各固定部に固定される。例えば、ワイヤー１０３であれば、表示装置１００の展開状態および折り畳み状態（収納状態または両面状態）のそれぞれにおいて、ワイヤー１０３が撓まないように固定部１０１ｅ１と固定部１０２ｆ１とに固定されている。この構成によって、ワイヤー１０３〜１０６は、それぞれ対応する溝部の内部に導かれた状態で長さが最短となるような経路を通る。
【００５８】
ワイヤー１０３〜１０６には、ユーザが表示装置１００の状態を変更する（展開する、または折り畳む）際に加える外力などが加わる。当該外力によって、ワイヤーが溝部から脱落することを防ぐためには、ワイヤーの張力を増加させ、緩みを小さくすることが望ましい。具体的には、上述した外力によって、ワイヤーが切れること防止するためには、ワイヤーの張力を、ワイヤーの引っ張り強度から計算される所定の値以下に低減することが望ましい。すなわち、溝部からのワイヤーの脱落およびワイヤーの破損等を考慮した信頼性を確保するために、各ワイヤーの張力を望ましい範囲に収める必要がある。しかしながら、部品の加工精度や組み付け精度によって、各ワイヤーの張力は設計値からばらつく。
【００５９】
そこで、本実施形態の表示装置１００は、各固定部に、対応する各ワイヤーの張力を調節することができる張力調節機構（不図示）が設けられている。さらに、本実施形態のワイヤー１０３〜１０６は、それぞれが独立した１つの部材であって、異なる固定部に固定されている。
【００６０】
上述した張力調節機構としては、例えば、前述した各固定部に対応した第１のパネル１０１と第２のパネル１０２の各位置に、各ワイヤーを挿入可能な孔部が設ける。そして、当該孔部にワイヤーが挿入された状態で、孔部にワイヤーの端部を固定するための固定ピンを挿入する。この構成であれば、孔部に挿入するワイヤーの量や、ピンの挿入度合を変化させることで、ワイヤーの張力を調節することができる。この場合、各固定部が上述した張力調節機構に該当する。
【００６１】
なお、上述した固定ピンの外径を、孔部の内径よりも若干大きく設定する。この状態で、孔部の内部と固定ピンの外部とが所定の摩擦力を生じながら互いに慴動するので、固定ピンが孔部から脱落することを防止することができる。
【００６２】
以上説明した構成によって、本実施形態の表示装置１００は、各ワイヤーの張力を独立して調整することができる。したがって、各ワイヤーが対応する溝部から脱落することや、破損することを防ぐことができる。
【００６３】
なお、固定部１０１ｅ１の張力調節機構を用いてワイヤー１０３の張力を調節したとしても、その他のワイヤー１０４〜１０６の張力は変化しない。したがって、本実施形態の表示装置１００では、調節が必要なワイヤーの張力のみを独立して調節することができる。以上がワイヤー１０３〜１０６の説明である。
【００６４】
なお、本実施形態では、表示装置１００を横展開状態にした場合、第１のパネル１０１と第２のパネル１０２の各溝部および各固定部同士は、辺２と辺４を中心線とした線対称の関係となる位置に設けられる。また、表示装置１００を縦展開状態にした場合、第１のパネル１０１と第２のパネル１０２の各溝部および各固定部同士は、辺１と辺３を中心線とした線対称の関係となる位置に設けられる。この詳細については後述する。
【００６５】
また、本実施形態の表示装置１００では、各固定部で対応する各ワイヤーを固定する方法としては、上述した固定ピン以外に、接着、熱カシメ、圧着、フックなどへの引っかけなど種々の方法を採用することができる。
【００６６】
次に、図５を参照して表示装置１００の展開状態と折り畳み状態の詳細について説明する。図５は、本発明を実施する表示装置の第１実施形態である表示装置１００の展開状態および折り畳み状態を例示的に説明する図であって、表示装置１００の各状態における三面図（正面図、右側面図、下側面図）を示している。図５（ａ）は、表示装置１００の収納状態Ａを例示的に説明した図である。
【００６７】
表示装置１００は収納状態Ａにおいて、各パネルＡ面およびＢ面と直交する方向において、第１のパネル１０１の辺１と第２のパネル１０２辺３とが一致し、第１のパネル１０１の辺２と第２のパネル１０２の辺４とが一致する。
【００６８】
図５（ｂ）は、表示装置１００の横展開状態を例示的に説明した図であって図５（ａ）に図示する矢印方向に第２のパネル１０２を相対的に略１８０度回動させた（展開させた）状態を示している。表示装置１００は横展開状態において、第１のパネル１０１の辺１の延長線上に連続して第２のパネル１０２の辺３が位置し、第１のパネル１０１および第２のパネル１０２のＡ面およびＢ面同士がそれぞれ同一の方向を向く。
【００６９】
図５（ｃ）は、表示装置１００の両面状態を例示的に説明する図であって、図５（ｂ）に図示する矢印方向に第２のパネル１０２を相対的に略１８０度回動させた（折り畳んだ）状態を示している。
【００７０】
表示装置１００は両面状態において、前述した収納状態と同様に、各パネルＡ面およびＢ面と直交する方向において、第１のパネル１０１の辺１と第２のパネル１０２の辺３とが一致し、第１のパネル１０１の辺２と第２のパネル１０２の辺４とが一致する。
【００７１】
図５（ｄ）は、表示装置１００の縦展開状態を例示的に説明する図であって、図５（ｃ）に図示する矢印方向に第２のパネル１０２を相対的に略１８０度回動させた（展開させた）状態を示している。表示装置１００は縦展開状態において、第１のパネル１０１の辺２の延長線上に連続して第２のパネル１０２の辺４が位置し、第１のパネル１０１および第２のパネル１０２のＡ面およびＢ面同士がそれぞれ同一の方向を向く。
【００７２】
図５（ｅ）は、表示装置１００の収納状態Ｂを例示的に説明した図であって、図５（ｄ）に図示する矢印の方向に第２のパネル１０２を相対的に略１８０度回動させた（折り畳んだ）状態を示している。表示装置１００は収納状態Ｂにおいても、収納状態Ａと同様に、各パネルのＡ面およびＢ面と直交する方向において、第１のパネル１０１の辺１と第２のパネル１０２の辺３とが一致し、第１のパネル１０１の辺２と第２のパネル１０２の辺４とが一致する。
【００７３】
以下、図５（ａ）〜図５（ｅ）を参照して、表示装置１００の各状態においける各ワイヤーの位置について詳細を説明する。図５の各図に図示するように、ワイヤー（第１の連結手段）１０３は、一方の端部が第１のパネル１０１の固定部１０１ｅ１に固定され、他方の端部が第２のパネル１０２の固定部１０２ｆ１に固定されている。また、ワイヤー（第１の連結手段）１０４は、一方の端部が第１のパネル１０１の固定部１０１ｅ２に固定され、他方の端部が第２のパネル１０２の固定部１０２ｆ２に固定されている。また、ワイヤー（第２の連結手段）１０５は、一方の端部が第２のパネル１０２の固定部１０２ｅ１に固定され、他方の端部が第１のパネル１０１の固定部１０１ｆ１に固定されている。ワイヤー（第２の連結手段）１０６は、一方の端部が第２のパネル１０２の固定部１０２ｅ２に固定され、他方の端部が第１のパネル１０１の固定部１０１ｆ２に固定されている。
【００７４】
まず、図５（ａ）を参照して、表示装置１００の収納状態Ａについて説明する。表示装置１００は収納状態Ａで、固定部１０１ｅ１で固定されたワイヤー１０３が、溝部１０１ｂ１、溝部１０１ｄ１、溝部１０１ｃ１に沿い、第１のパネル１０１の下側面、Ｂ面、左側面と接しつつ（経由して）固定部１０２ｆ１に固定される。また、表示装置１００は収納状態Ａで、固定部１０１ｅ２に固定されたワイヤー１０４が、溝部１０１ｂ２、溝部１０１ｄ２、溝部１０１ｃ２に沿い、第１のパネル１０１の下側面、Ｂ面、左側面を接しつつ固定部１０２ｆ２に固定される。また、表示装置１００は収納状態Ａで、固定部１０２ｅ１に固定されたワイヤー１０５が、溝部１０２ｂ１、溝部１０２ｄ１、溝部１０２ｃ１に沿い、第２のパネル１０２の下側面、Ｂ面、右側面と接しつつ固定部１０１ｆ１に固定される。また、表示装置１００は収納状態Ａで、固定部１０２ｅ２に固定されたワイヤー１０６が、溝部１０２ｂ２、溝部１０２ｄ２、溝部１０２ｃ２に沿い、第２のパネル１０２の下側面、Ｂ面、右側面と接しつつ固定部１０１ｆ２に固定される。
【００７５】
次に、図５（ｂ）を参照して、表示装置１００の横展開状態について説明する。なお、表示装置１００の横展開状態において、各ワイヤーは、前述した収納状態Ａと同様の溝部に導かれるため、以降は、横展開状態と収納状態Ａとの違いについて説明する。
【００７６】
表示装置１００の横展開状態でワイヤー（第１の連結手段）１０３は、第１のパネル１０１と第２のパネル１０２との間を通って第２のパネル１０２のＡ面へと向かう。同様に、ワイヤー（第２の連結手段）１０５は、第１のパネル１０１と第２のパネル１０２との間を通って第１のパネル１０１のＡ面へと向かう。なお、第１のパネル１０１と第２のパネル１０２との間とは、第１のパネル１０１に形成された溝部１０１ｃ１と第２のパネル１０２に形成された溝部１０２ｃ１の双方によって形成された空間を示している。
【００７７】
また、表示装置１００の横展開状態でワイヤー（第１の連結手段）１０４は、第１のパネル１０１と第２のパネル１０２との間を通って第２のパネル１０２のＡ面へと向かう。同様に、ワイヤー（第２の連結手段）１０６は、第１のパネル１０１と第２のパネル１０２との間を通って第１のパネル１０１のＡ面へと向かう。なお、第１のパネル１０１と第２のパネル１０２との間とは、第１のパネル１０１に形成された溝部１０１ｃ２と第２のパネル１０２に形成された溝部１０２ｃ２の双方によって形成された空間を示している。
【００７８】
なお、表示装置１００の横展開状態において、ワイヤー１０３のうち、溝部１０１ｄ１に沿ってＢ面上を通過する（Ｂ面と接する）部分を通過部１０３ｃとする。また、ワイヤー１０４のうち、溝部１０１ｄ２に沿ってＢ面を通過する（Ｂ面と接する）部分を通過部１０４ｃとする。同様に、ワイヤー１０５のうち、溝部１０２ｄ１に沿ってＢ面上を通過する（Ｂ面と接する）部分を通過部１０５ｃとする。そして、ワイヤー１０６のうち、溝部１０２ｄ２に沿ってＢ面上を通過する（Ｂ面と接する）部分を通過部１０６ｃとする。
【００７９】
なお、表示装置１００が横展開状態である場合、ワイヤー１０３は、少なくとも、第１のパネル１０１の角部１０１ｇ１、１０１ｈ１、１０１ｉ１、第２のパネル１０２の角部１０２ｊ１と接触する。また、表示装置１００が横展開状態である場合、ワイヤー１０４は、少なくとも、第１のパネル１０１の角部１０１ｇ２、１０１ｈ２、１０１ｉ２、第２のパネル１０２の角部１０２ｊ２と接触する。また、表示装置１００が横展開状態である場合、ワイヤー１０５は、少なくとも、第２のパネル１０２の角部１０２ｇ１、１０２ｈ１、１０２ｉ１、第１のパネル１０１の角部１０１ｊ１と接触する。さらに、表示装置１００が横展開状態である場合、ワイヤー１０６は、少なくとも、第２のパネル１０２の角部１０２ｇ２、１０２ｈ２、１０２ｉ２、第１のパネル１０１の角部１０１ｊ２と接触する。この詳細については図６を参照して後述する。
【００８０】
次に、図５（ｃ）を参照して、表示装置１００の両面状態について説明する。表示装置１００が両面状態である場合、固定部１０１ｅ１で固定されたワイヤー１０３が、溝部１０１ｂ１、溝部１０２ｃ１に沿い、第１のパネル１０１の下側面と第２のパネル１０２の右側面と接しつつ固定部１０２ｆ１に固定される。
【００８１】
なお、ワイヤー１０３は、第１のパネル１０１および第２のパネル１０２のＢ面上において、第１のパネル１０１と第２のパネルの間を通過する。当該第１のパネル１０１と第２のパネル１０２との間とは、第１のパネル１０１に形成された溝部１０１ｄ１と第２のパネル１０２に形成された溝部１０２ｄ１の双方によって形成された空間である。
【００８２】
また、表示装置１００は両面状態で、固定部１０１ｅ２で固定されたワイヤー１０４が、溝部１０１ｂ２、溝部１０２ｃ２に沿い、第１のパネル１０１の下側面と第２のパネル１０２の右側面と接しつつ固定部１０２ｆ２に固定される。なお、ワイヤー１０４は、第１のパネル１０１および第２のパネル１０２のＢ面上において、第１のパネル１０１と第２のパネルの間を通過する。当該第１のパネル１０１と第２のパネル１０２との間とは、第１のパネル１０１に形成された溝部１０１ｄ２と第２のパネル１０２に形成された溝部１０２ｄ２の双方によって形成された空間を示している。
【００８３】
また、表示装置１００は両面状態で、固定部１０２ｅ１で固定されたワイヤー１０５が、溝部１０２ｂ１、溝部１０１ｃ１に沿い、第２のパネル１０２の下側面と第１のパネル１０１の左側面と接しつつ固定部１０１ｆ１に固定される。なお、ワイヤー１０５も前述したワイヤー１０３と同様に、第１のパネル１０１および第２のパネル１０２のＢ面上において、第１のパネル１０１と第２のパネルの間を通過する。
【００８４】
また、表示装置１００は両面状態で、固定部１０２ｅ２で固定されたワイヤー１０６が、溝部１０２ｂ２、溝部１０１ｃ２に沿い、第２のパネル１０２の下側面と第１のパネル１０１の左側面と接しつつ固定部１０１ｆ２に固定される。なお、ワイヤー１０６も前述したワイヤー１０４と同様に、第１のパネル１０１および第２のパネル１０２のＢ面上において、第１のパネル１０１と第２のパネルの間を通過する。
【００８５】
次に、図５（ｄ）を参照して、表示装置１００の縦展開状態について説明する。表示装置１００は縦展開状態で、固定部１０１ｅ１で固定されたワイヤー１０３が、溝部１０２ｄ１、溝部１０２ｃ１に沿い、第２のパネル１０２のＢ面と右側面と接しつつ固定部１０２ｆ１に固定される。なお、ワイヤー１０３は、第１のパネル１０１および第２のパネル１０２の下側面上において、第１のパネル１０１と第２のパネルの間を通過する。当該第１のパネル１０１と第２のパネル１０２との間とは、第１のパネル１０１に形成された溝部１０１ｂ１と第２のパネル１０２に形成された溝部１０２ｂ１の双方によって形成された空間を示している。
【００８６】
また、表示装置１００は縦展開状態で、固定部１０１ｅ２で固定されたワイヤー１０４が、溝部１０２ｄ２、溝部１０２ｃ２に沿い、第２のパネル１０２のＢ面と右側面と接しつつ固定部１０２ｆ２に固定される。なお、ワイヤー１０４は、第１のパネル１０１および第２のパネル１０２の下側面上において、第１のパネル１０１と第２のパネルの間を通過する。当該第１のパネル１０１と第２のパネル１０２との間とは、第１のパネル１０１に形成された溝部１０１ｂ２と第２のパネル１０２に形成された溝部１０２ｂ２の双方によって形成された空間である。
【００８７】
また、表示装置１００は縦展開状態で、固定部１０２ｅ１で固定されたワイヤー１０５が、溝部１０１ｄ１、溝部１０１ｃ１に沿い、第１のパネル１０１のＢ面と左側面と接しつつ固定部１０１ｆ１に固定される。なお、ワイヤー１０５も前述したワイヤー１０３と同様に、第１のパネル１０１および第２のパネル１０２の下側面側において、第１のパネル１０１と第２のパネルの間を通過する。
【００８８】
また、表示装置１００は縦展開状態で、固定部１０２ｅ２で固定されたワイヤー１０６が、溝部１０１ｄ２、溝部１０１ｃ２に沿い、第１のパネル１０１のＢ面と左側面と接しつつ固定部１０１ｆ２に固定される。なお、ワイヤー１０６も前述したワイヤー１０４と同様に、第１のパネル１０１および第２のパネル１０２の下側面側において、第１のパネル１０１と第２のパネルの間を通過する。
【００８９】
なお、表示装置１００が縦展開状態である場合、ワイヤー１０３は、少なくとも、第２のパネル１０２の角部１０２ｊ１、１０２ｉ１、１０２ｊ１、第１のパネル１０１の角部１０１ｇ１と接触する。また、表示装置１００が縦展開状態である場合、ワイヤー１０４は、少なくとも、第２のパネル１０２の角部１０２ｊ２、１０２ｉ２、１０２ｊ２、第１のパネル１０１の角部１０１ｇ２と接触する。また、表示装置１００が縦展開状態である場合、ワイヤー１０５は、少なくとも、第１のパネル１０１の角部１０１ｊ１、１０１ｉ１、１０１ｊ１、第２のパネル１０２の角部１０２ｇ１と接触する。さらに、表示装置１００が縦展開状態である場合、ワイヤー１０６は、少なくとも、第１のパネル１０１の角部１０１ｊ２、１０１ｉ２、１０１ｊ２、第２のパネル１０２の角部１０２ｇ２と接触する。この詳細については図８を参照して後述する。
【００９０】
次に、図５（ｅ）を参照して、表示装置１００の収納状態Ｂについて説明する。表示装置１００は収納状態Ｂで、固定部１０１ｅ１で固定されたワイヤー１０３が、溝部１０２ｂ１、溝部１０２ｄ１、溝部１０２ｃ１に沿い、第２のパネル１０２の下側面、Ｂ面、右側面と接しつつ固定部１０２ｆ１に固定される。
【００９１】
また、表示装置１００は収納状態Ｂで、固定部１０１ｅ２で固定されたワイヤー１０４が、溝部１０２ｂ２、溝部１０２ｄ２、溝部１０２ｃ２に沿い、第２のパネル１０２の下側面、Ｂ面、右側面と接しつつ固定部１０２ｆ２に固定される。
【００９２】
また、表示装置１００は、収納状態Ｂで、固定部１０２ｅ１で固定されたワイヤー１０５が、溝部１０１ｂ１、溝部１０１ｄ１、溝部１０１ｃ１に沿い、第１のパネル１０１の下側面、Ｂ面、左側面と接しつつ固定部１０１ｆ１に固定される。
【００９３】
また、表示装置１００は収納状態Ｂで、固定部１０２ｅ２で固定されたワイヤー１０６が、溝部１０１ｂ２、溝部１０１ｄ２、溝部１０１ｃ２に沿い、第１のパネル１０１の下側面、Ｂ面、左側面と接しつつ固定部１０１ｆ２に固定される。
【００９４】
以上説明したように、本実施形態の表示装置１００は、第１のパネル１０１と第２のパネル１０２の相対的な配置を変更することで、上述した各状態に展開および折り畳むことができる。具体的には、収納状態Ａを基準として、収納状態Ａ、横展開状態、両面状態、縦展開状態、収納状態Ｂの順またはその逆順に、表示装置１００を展開および折り畳むことができる。すなわち、本実施形態の表示装置１００は、各筐体間において、延長線上に位置する辺同士が異なるように、各筐体同士の相対的な配置を変更することができる。
【００９５】
ここで、ワイヤー１０３は、表示装置１００の横展開状態において第１のパネル１０１のＢ面に形成された溝部１０１ｄ１の内部に導かれるのに対して、縦展開状態において第２のパネル１０２のＢ面に形成された溝部１０２ｄ１の内部に導かれる。なお、ワイヤー１０４〜１０６についても、ワイヤー１０３と同様に、表示装置１００の展開状態に応じて導かれる溝部がそれぞれ変化する。
【００９６】
すなわち、本実施形態のワイヤー１０３〜１０６は、表示装置１００の状態に応じて、第１のパネル１０１に形成された溝部と第２のパネル１０２に形成された溝部との間を移動する構成である。この構成により、本実施形態の表示装置１００は、第１のパネル１０１と第２のパネル１０２の相対的な配置を変更して、上述した各状態へと変更する（展開および折り畳む）ことができる。
【００９７】
また、ワイヤー１０３〜１０６の大部分は、表示装置１００の状態が横展開状態である場合と縦展開状態である場合とで、Ａ面およびＢ面と直交する方向で重畳するパネル（または表示部）がそれぞれ変化する（入れ替わる）。例えば、各パネルのＡ面およびＢ面と直交する方向において、ワイヤー１０３の大部分は、表示装置１００の横展開状態で第１のパネル１０１と重畳し、縦展開状態で第２のパネル１０２と重畳する。これに対して、各パネルのＡ面およびＢ面と直交する方向において、ワイヤー１０５の大部分は、表示装置１００の横展開状態で第２のパネル１０２と重畳し、縦展開状態で第１のパネル１０１と重畳する。
【００９８】
なお、本実施形態の表示装置１００は、上述したように、横展開状態、両面状態、縦展開状態において、各ワイヤーが、第１のパネル１０１と第２のパネル１０２との間に形成された各空間を通過するような構成である。この際、ワイヤー１０３とワイヤー１０５、およびワイヤー１０４とワイヤー１０６とは、上述した各空間において互いに交差している。以下、この点について図６〜８を参照して詳細を説明する。
【００９９】
図６は、本発明を実施した表示装置の第１実施形態である表示装置１００の状態を横展開状態から収納状態Ａに変更する（折り畳む）場合を例示的に説明する図である。図６（ａ）は、表示装置１００を下側面方向から見た、表示装置１００の横展開状態を例示的に説明する拡大図である。図６（ｂ）は、表示装置１００を下側面側から見た場合の、表示装置１００の横展開状態から収納状態Ａへの移行状態を例示的に説明する拡大図である。図６（ｂ）に図示する表示装置１００は、図６（ａ）の状態から第２のパネル１０２を相対的に略９０度回動させた状態を示している。図６（ｃ）は、表示装置１００を下側面方向から見た場合の、表示装置１００の収納状態Ａを例示的に説明する拡大図である。図６（ｃ）に図示する表示装置１００は、図６（ｂ）の状態から第２のパネル１０２を相対的に９０度回動させた状態を示している。
【０１００】
以下、図６（ａ）〜（ｃ）を参照して、図６（ａ）に図示する矢印Ｃの方向に向けて、表示装置１００を横展開状態から収納状態Ａへと変更する場合のワイヤー１０３、１０５の動作について説明する。なお、ワイヤー１０４およびワイヤー１０６の動作については、ワイヤー１０３およびワイヤー１０５と略同一なので説明は省略する。
【０１０１】
図６（ａ）に図示するように、表示装置１００の横展開状態において、ワイヤー１０３は、第１のパネル１０１の第１の辺に該当するＡ面側の角部１０１ｇ１とＢ面側の角部１０１ｈ１、第２の辺に該当するＢ面側の角部１０１ｉ１とそれぞれ接している。そして、第１パネル１０１の角部１０１ｉ１と第２のパネル１０２の第４の辺に該当するＡ面側の角部１０２ｊ１に支持されている。この状態でワイヤー１０３は、溝部１０１ｃ１と溝部１０２ｃ１との間に形成された空間を通過する。
【０１０２】
また、表示装置１００の横展開状態において、ワイヤー１０５は、第２のパネル１０２の第３の辺に該当するＡ面側の角部１０２ｇ１とＢ面側の角部１０２ｈ１、第２の辺に該当するＢ面側の角部１０２ｉ１とそれぞれ接している。そして、第２パネル１０２の溝部１０２ｃ１のＢ面側の角部１０２ｉ１と第１のパネル１０１の溝部１０１ｃ１の第２の辺に該当するＡ面側の角部１０１ｊ１に支持される。この状態でワイヤー１０５は、溝部１０１ｃ１と溝部１０２ｃ１との間に形成された空間を通過する。
【０１０３】
そして、図６（ａ）に図示するように、ワイヤー１０３とワイヤー１０５とは、第１パネル１０１の溝部１０１ｃ１と第２パネル１０２の溝部１０２ｃ１によって形成される空間の中で交差している。この際、ワイヤー１０３とワイヤー１０５は、第１のパネル１０１と第２のパネル１０２のＡ面とＢ面の間の略中間の位置で交差している。
【０１０４】
次に、図６（ｂ）に図示する表示装置１００の移行状態では、ワイヤー１０３とワイヤー１０５の交差位置が、第２のパネル１０２の折り畳みに伴って、第１のパネル１０１および第２のパネル１０２のＡ面側へと移行する。
【０１０５】
次に、図６（ｃ）に図示する表示装置１００の収納状態Ａにおいて、ワイヤー１０３は、第２のパネル１０２の固定部１０２ｆ１と第１のパネル１０１の溝部１０１ｃ１のＡ面側の角部１０１ｉ１に支持される。また、ワイヤー１０５は、第１のパネル１０１の固定部１０１ｆ１と第２のパネル１０２の溝部１０２ｃ１のＡ面側の角部１０２ｉ１に支持される。
【０１０６】
図６（ｃ）に図示するように、表示装置１００の収納状態Ａでは、ワイヤー１０３とワイヤー１０５が、第１のパネル１０１のＡ面と第２のパネル１０２のＡ面との間で交差する。具体的には、第１のパネル１０１と第２のパネル１０２のＡ面上に形成された溝部同士によって形成された空間において、ワイヤー１０３とワイヤー１０５とが交差する。
【０１０７】
以上説明したように、表示装置１００を横展開状態から収納状態Ａへと折り畳む動作に伴って、各ワイヤーを支持する位置が変化する。そして、ワイヤーを支持する位置が変化することに応じて、各ワイヤー同士が交差する位置が第１のパネル１０１および第２のパネル１０２のＡ面とＢ面との間の位置からＡ面側へと移行する。この構成によって、ワイヤーが対応する溝部から脱落することなく表示装置１００を折り畳むことができる。
【０１０８】
なお、表示装置１００の状態を収納状態Ａから横展開状態へと変更（展開）する場合は、上述の動きとは逆の順序で各ワイヤーが動作する。また、表示装置１００の縦展開状態から収納状態Ｂへの移行、または収納状態Ｂから縦展開状態への移行動作は、前述した表示装置１００の横展開状態から収納状態Ａへの移行、または収納状態Ａから横展開状態への移行動作と同様であるので説明は省略する。
【０１０９】
図７は、本発明を実施した表示装置の第１実施形態である表示装置１００の状態を横展開状態から両面状態に変更する（折り畳む）場合を例示的に説明する図である。図７（ａ）は、表示装置１００を下側面方向から見た、表示装置１００の横展開状態を例示的に説明する拡大図である。図７（ｂ）は、表示装置１００を下側面方向から見た、表示装置１００の横展開状態から両面状態への移行状態を例示的に説明する拡大図であって、図７（ａ）の状態から第２のパネル１０２を相対的に略４５度回動させた状態を示している。図７（ｃ）は、表示装置１００を下側面方向から見た、表示装置１００の横展開状態から両面状態への移行状態を例示的に説明する拡大図であって、図７（ａ）の状態から第２のパネル１０２を相対的に略９０度回動させた状態を示している。図７（ｄ）は、表示装置１００を下側面方向から見た、表示装置１００の横展開状態から両面状態への移行状態を例示的に説明する拡大図であって、図７（ａ）の状態から第２のパネル１０２を相対的に略１３５度回動させた状態を示している。図７（ｅ）は、表示装置１００を下側面方向から見た、表示装置１００の両面状態を例示的に説明する拡大図であって、図７（ａ）の状態から第２のパネル１０２を相対的に略１８０度回動させた状態を示している。以下、図７（ａ）〜（ｅ）を参照して、図７（ａ）に示す矢印Ｄ方向に、表示装置１００を横展開状態から両面状態へと移行させる際のワイヤー１０３、１０５の動きについて説明する。なお、ワイヤー１０４およびワイヤー１０６の動きについては、ワイヤー１０３およびワイヤー１０５と同様なので説明は省略する。また、図７（ａ）の矢印Ｄ方向は、図６（ａ）で図示した矢印Ｃ方向とは反対方向である。
【０１１０】
図７（ａ）に図示する表示装置１００の横展開状態については、前述した通りなので説明を省略する。次に、図７（ｂ）に図示する表示装置１００の移行状態では、ワイヤー１０３とワイヤー１０５の交差位置が、第２のパネル１０２の折り畳みに伴って、第１のパネル１０１および第２のパネル１０２のＢ面側へと移行する。なお、この際のワイヤー１０３およびワイヤー１０５を支持する位置は、表示装置１００の横展開状態と略同一である。
【０１１１】
次に、図７（ｃ）に図示する表示装置１００の移行状態で、ワイヤー１０３は、第２のパネル１０２の溝部１０２ｃ１のＡ面側の端と第１のパネル１０１の溝部１０１ｂ１のＢ面側の端に支持される。また、ワイヤー１０５は、第１のパネル１０１の溝部１０１ｃ１のＡ面側の端と第２のパネル１０２の溝部１０２ｂ１のＢ面側の端に支持される。この際、ワイヤー１０３とワイヤー１０５の交差位置が、第２のパネル１０２の折り畳みに伴って、第１のパネル１０１および第２のパネル１０２のＢ面の端部近傍へと移行する。
【０１１２】
次に、図７（ｄ）に図示する表示装置１００の移行状態で、ワイヤー１０３は、第２のパネル１０２の溝部１０２ｃ１のＢ面側の端と第１のパネル１０１の溝部１０１ｂ１のＢ面側の端に支持される。また、ワイヤー１０５は、第１のパネル１０１の溝部１０１ｃ１のＢ面側の端と第２のパネル１０２の溝部１０２ｂ１のＢ面側の端に支持される。この状態で、ワイヤー１０３とワイヤー１０５の交差位置が、第２のパネル１０２の折り畳みに伴って、第１のパネル１０１のＢ面と第２のパネル１０２のＢ面の間へと移行する。なお、この状態で当該交差位置は、溝部１０１ｄ１と溝部１０２ｄ１との間に形成された空間には位置していない。
【０１１３】
次に、図７（ｅ）に図示する表示装置１００の両面状態で、ワイヤー１０３とワイヤー１０５とが、図７（ｄ）に図示した状態と同様の位置で支持され、溝部１０１ｄ１と溝部１０２ｄ１との間に形成された空間で交差する。
【０１１４】
以上説明したように、表示装置１００を横展開状態から両面状態へと折り畳む動作に伴って、各ワイヤーを支持する位置が変化する。そして、ワイヤーを支持する位置が変化することに応じて、各ワイヤー同士が交差する位置が第１のパネル１０１および第２のパネル１０２のＡ面とＢ面との間の位置からＢ面側へと移行する。この構成によって、ワイヤーが対応する溝部から脱落することなく表示装置１００の状態を変更（変形）させることができる。なお、表示装置１００の状態を両面状態から横展開状態へと変更（展開）する場合は、上述の動きとは逆の順序で各ワイヤーが動作する。
【０１１５】
図８は、本発明を実施した表示装置の第１実施形態である表示装置１００の状態を縦展開状態から両面状態へと変更する（折り畳む）場合を例示的に説明する図である。なお、図８の各図は、表示装置１００を左側面（第２のパネル１０２の右側面）方向から見た図であって、説明のために前述した図６および図７に合わせて、表示装置１００を略９０度回転させた状態を示している。
【０１１６】
図８（ａ）は、表示装置１００を左側面方向から見た、表示装置１００の縦展開状態を例示的に説明する拡大図である。図８（ｂ）は、表示装置１００を左側面方向から見た、表示装置１００の縦展開状態から両面状態への移行状態を例示的に説明する拡大図であって、図８（ａ）の状態から第１のパネル１０１を相対的に略４５度回動させた状態を示している。図８（ｃ）は、表示装置１００を左側面方向から見た、表示装置１００の縦展開状態から両面状態への移行状態を例示的に説明する拡大図であって、図８（ａ）の状態から第１のパネル１０１を相対的に略９０度回動させた状態を示している。図８（ｄ）は、表示装置１００を左側面方向から見た、表示装置１００の縦展開状態から両面状態への移行状態を例示的に説明する拡大図であって、図８（ａ）の状態から第１のパネル１０１を相対的に略１３５度回動させた状態を示している。図８（ｅ）は、表示装置１００を左側面方向から見た、表示装置１００の両面状態を例示的に説明する拡大図であって、図８（ａ）の状態から第１のパネル１０１を相対的に略１８０度回動させた状態を示している。以下、図８（ａ）〜（ｅ）を参照して、図８（ａ）に示す矢印Ｅ方向に、表示装置１００を縦展開状態から両面状態へと移行させる際のワイヤー１０３、１０５の動きについて説明する。なお、ワイヤー１０４およびワイヤー１０６の動きについては、ワイヤー１０３およびワイヤー１０５と同様なので説明は省略する。
【０１１７】
図８（ａ）に図示するように、表示装置１００の縦展開状態において、ワイヤー１０３は、第２のパネル１０２の第４の辺に該当するＡ面側の角部１０２ｊ１とＢ面側の角部１０２ｉ１、第３の辺に該当するＢ面側の角部１０２ｈｉ１とそれぞれ接している。そして、第２パネル１０２の角部１０２ｈ１と第１のパネル１０１の第１の辺に該当するＡ面側の角部１０１ｇ１に支持されている。この状態でワイヤー１０３は、溝部１０１ｂ１と溝部１０２ｂ１との間に形成された空間を通過する。
【０１１８】
また、表示装置１００の縦展開状態において、ワイヤー１０５は、第１のパネル１０１の第２の辺に該当するＡ面側の角部１０１ｊ１とＢ面側の角部１０１ｉ１、第１の辺に該当するＢ面側の角部１０１ｈ１とそれぞれ接している。そして、第１パネル１０１の角部１０１ｈ１と第２のパネル１０２の第３の辺に該当するＡ面側の角部１０２ｇ１に支持されている。この状態でワイヤー１０５は、溝部１０１ｂ１と溝部１０２ｂ１との間に形成された空間を通過する。
【０１１９】
そして、図８（ａ）に図示するように、ワイヤー１０３とワイヤー１０５とは、第１パネル１０１の溝部１０１ｂ１と第２パネル１０２の溝部１０２ｂ１によって形成される空間の中で交差している。この際、ワイヤー１０３とワイヤー１０５は、第１のパネル１０１と第２のパネル１０２のＡ面とＢ面の間の略中間の位置で交差する。
【０１２０】
次に、図８（ｂ）に図示する表示装置１００の移行状態では、ワイヤー１０３とワイヤー１０５の交差位置が、第２のパネル１０２の折り畳みに伴って、第１のパネル１０１および第２のパネル１０２のＢ面側へと移行する。なお、この際のワイヤー１０３およびワイヤー１０５を支持する位置は、表示装置１００の縦展開状態と略同一である。
【０１２１】
次に、図８（ｃ）に図示する表示装置１００の移行状態で、ワイヤー１０３は、第１のパネル１０１の溝部１０１ｂ１のＡ面側の端と第２パネル１０２の溝部１０２ｃ１のＢ面側の端に支持される。また、ワイヤー１０５は、第２のパネル１０２の溝部１０２ｂ１のＡ面側の端と第１のパネル１０１の溝部１０１ｃ１のＢ面側の端に支持される。
【０１２２】
また、この際、ワイヤー１０３とワイヤー１０５の交差位置が、第２のパネル１０２の折り畳みに伴って、第１のパネル１０１および第２のパネル１０２のＢ面の端部近傍へと移行する。
【０１２３】
次に、図８（ｄ）に図示する表示装置１００の移行状態で、ワイヤー１０３は、第１のパネル１０１の溝部１０１ｂ１のＢ面側の端と第２のパネル１０２の溝部１０２ｃ１のＢ面側の端に支持される。また、ワイヤー１０５は、第２のパネル１０２の溝部１０２ｂ１のＢ面側の端と第１のパネル１０１の溝部１０１ｃ１のＢ面側の端に支持される。
【０１２４】
この状態で、ワイヤー１０３とワイヤー１０５の交差位置が、第２のパネル１０２の折り畳みに伴って、第１のパネル１０１のＢ面と第２のパネル１０２のＢ面の間へと移行する。なお、この状態で当該交差位置は、溝部１０１ｄ１と溝部１０２ｄ１との間に形成された空間には位置していない。
【０１２５】
次に、図８（ｅ）に図示する表示装置１００の両面状態で、ワイヤー１０３とワイヤー１０５とが、図８（ｄ）に図示した状態と同様の位置で支持され、溝部１０１ｄ１と溝部１０２ｄ１との間に形成された空間で交差する。
【０１２６】
以上説明したように、装置１００の状態を縦展開状態から両面状態へと変更する（折り畳む）動作に伴って、各ワイヤーを支持する第１のパネル１０１および第２のパネル１０２における位置が変化する。そして、ワイヤーを支持する位置が変化することに応じて、各ワイヤー同士が交差する位置が第１のパネル１０１および第２のパネル１０２のＡ面とＢ面との間の位置からＢ面側へと移行する。この構成によって、ワイヤーが対応する溝部から脱落することなく表示装置１００の状態を変更させる（折り畳む）ことができる。なお、表示装置１００の状態を両面状態から縦展開状態へと変更（展開）させる場合は、上述の動きとは逆の順序で各ワイヤーが動作する。
【０１２７】
以上説明した構成によって、本実施形態の表示装置１００は、横展開状態、両面状態、収納状態Ａ、収納状態Ｂ、縦展開状態という５つの状態間における変形操作を容易に行うことができる。したがって、本実施形態の表示装置１００は、それぞれ表示部が設けられた第１のパネル１０１と第２のパネル１０２との相対的な配置を複数の状態へと変更することができる。特に、第１のパネル１０１と第２のパネル１０２において、延長線上に位置する辺同士が異なるように、第１のパネル１０１と第２のパネル１０２の相対的な配置を変更することができる。
【０１２８】
したがって、本実施形態の表示装置１００は、表示部１０１ａと表示部１０２ａに単一の画像を分割して表示させる場合に、表示させたい画像のアスペクト比や撮影の種類に応じて、各パネルの相対的な配置を自由に変更することができる。
【０１２９】
例えば、表示装置１００全体に表示させる画像の長辺と短辺の比率が、３：２や１６：９など、写真（または撮像素子）に多用される比率である場合は、表示装置１００の状態を縦展開状態に変更させる。また、表示装置１００全体に表示させる画像の長辺と短辺の比率が、映画用に多用されるスコープサイズや、所謂パノラマ画像などの横長な比率（例えば、２：１以上の比率など）である場合は、表示装置１００の状態を横展開状態に変更させる。
【０１３０】
このように、本実施形態の表示装置１００は、表示させたい画像の長辺と短辺の比率（またはアスペクト比）に合わせて、各パネルの相対的な配置を変更することができるので、できる限り大きい画像を表示させることができる。特に、表示装置１００をデジタルカメラなどの撮像装置に適用させた場合は、撮像装置によって取得した大きさ（各辺の比率）が異なる種々の画像に合わせて、当該画像をできるだけ大きく表示させることができる。
【０１３１】
以下、第１の表示部１０１ａと第２の表示部１０２ａに、単一の画像（以降の説明では元画像と称す）を分割した画像Ａおよび画像Ｂを表示させる場合の表示制御に関する処理（以下、表示制御処理と称す）を行う場合について図９、図１０を参照して説明する。図９は、本発明を実施する表示装置の第１実施形態である表示装置１００の表示制御処理を説明するフローチャートである。
【０１３２】
まず、ステップＳ１０１で第１の表示制御回路１１０は、不図示のメモリから第１の表示部１０１ａまたは第２の表示部１０２ａに表示させる元画像を読み出す。
【０１３３】
次に、ステップＳ１０２で第１の表示制御回路１１０は、元画像のアスペクト比Ａを算出する。ここで、当該アスペクト比Ａは、元画像の長手方向（長辺）の長さをＬ１、短手方向（短辺）の長さをＬ２とすると、以下の式（３）より、
Ａ＝Ｌ１／Ｌ２≧１    （３）
となる。そして、ステップＳ１０３で第１の表示制御回路１１０は、算出したアスペクト比Ａが表示閾値Ａｓｈ以上であるか否かを判定する。なお、本実施形態では、表示閾値Ａｓｈ＝２とする。当該表示閾値Ａｓｈは、表示装置１００の横展開状態の表示部のアスペクト比Ａｗ＝３と縦展開状態の表示部のアスペクト比Ａｈ＝１．３３の間の値を採用している。
【０１３４】
なお、表示閾値Ａｓｈとしては、上述した値に限定されるものではない。表示閾値Ａｓｈとしては、少なくとも、元画像を表示装置１００の横展開状態で表示するのに適した画像であるか、元画像を表示装置１００の縦展開状態で表示するのに適した画像であるかを判定するための閾値であればよい。
【０１３５】
算出したアスペクト比Ａが表示閾値Ａｓｈ以上であると判定された場合、ステップＳ１０４で第１の表示制御回路１１０は、元画像を、表示装置１００の横展開状態に合わせて画像Ａと画像Ｂに分割して連続的に表示（以下、横連続表示と称す）させる。また、算出したアスペクト比Ａが表示閾値Ａｓｈより小さいと判定された場合、ステップＳ１０５で第１の表示制御回路１１０は、表示装置１００の縦展開状態に合わせて元画像を画像Ａと画像Ｂに分割して連続的に表示（以下、縦連続表示と称す）させる。横連続表示および縦連続表示の詳細については後述する。以上が、本実施形態の表示制御処理である。
【０１３６】
図１０は、本発明を実施する表示装置の第１実施形態である表示装置１００の各表示部への画像の表示方法を例示的に説明する図である。図１０（ａ）〜（ｄ）は、元画像を分割して横連続表示させる場合を例示的に説明する図である。図１０（ｅ）〜（ｈ）は、元画像を分割して縦連続表示させる場合を例示的に説明する図である。
【０１３７】
前述したステップＳ１０４において、元画像（図１０（ａ）に図示）を分割して横連続表示させる場合、第１の表示制御回路１１０は、元画像の長辺を元画像の短辺に平行な分割線で２分割して画像Ａおよび画像Ｂを生成する（図１０（ｂ）に図示）。そして、第１の表示制御回路１１０は、第１の通信部１１２から第２の通信部１２２に向けて横連続表示を指示する表示信号を送信する。当該表示信号としては、画像Ａに関する情報と当該画像Ａを第１の表示制御回路１１０による画像Ｂの表示と同期させて表示させるための同期信号を含んでいる。
【０１３８】
次に、第１の表示制御回路１１０および第２の表示制御回路１２０は、第１の表示部１０１ａおよび第２の表示部１０２ａに合わせて、画像Ａおよび画像Ｂを最大表示できるように、画像Ａおよび画像Ｂを拡大する。さらに、第１の表示制御回路１１０および第２の表示制御回路１２０は、当該拡大された画像Ａおよび画像Ｂを、第１の表示部１０１ａの辺２側および第２の表示部１０２ａの辺４側に寄せて表示させる（図１０（ｃ）に図示）。以上が元画像を横連続表示させる場合の表示例である。
【０１３９】
次に、ステップＳ１０５において、元画像を分割して縦連続表示させる場合について説明する。なお、表示信号を送信するまでの工程は前述した横連続表示の場合と同様なので説明は省略する。
【０１４０】
第１の表示制御回路１１０および第２の表示制御回路１２０は、画像Ａ及び画像Ｂを、分割線が第１のパネル１０１および第２のパネル１０２の辺３と平行な向きに回転させる。そして、第１の表示制御回路１１０および第２の表示制御回路１２０は、第１の表示部１０１ａおよび第２の表示部１０２ａに合わせて、画像Ａおよび画像Ｂを最大表示できるように、画像Ａおよび画像Ｂを拡大する。以降は、前述した横連続表示と同様なので説明は省略する。以上が元画像を横連続表示させる場合の表示例である。
【０１４１】
以上説明した構成によって、本実施形態の表示装置１００は、図１０（ｄ）や図１０（ｈ）に図示するように元画像を分割して表示させることができる。したがって、ユーザは、元画像の分割方向に合わせて表示装置１００の状態を横展開状態または縦展開状態に変更させることで、元画像の長辺および短辺の比率に適した大きさの画像を閲覧することができる。
【０１４２】
例えば、元画像の長辺と短辺の長さの差が比較的小さい場合は表示装置１００を縦展開状態にし、元画像の長辺と短辺の長さの差が比較的大きい場合は表示装置１００を横展開状態にすることで、元画像の大きさに適した状態の画像を閲覧することができる。
【０１４３】
または、ユーザは、表示装置１００の展開状態に合わせて元画像を分割し、第１の表示部１０１ａと第２の表示部１０２ａに、当該分割された画像を連続的に表示させることができる。
【０１４４】
例えば、ユーザが表示装置１００を横展開状態にした場合は、分割された元画像を、第１のパネル１０１の辺２側と第２のパネル１０２の辺４側に寄せて、それぞれの表示部に表示させる。また、ユーザが表示装置１００を縦展開状態にした場合は、分割された元画像を、第１のパネル１０１の辺１側と第２のパネル１０２の辺３側に寄せて、それぞれの表示部に表示させる。したがって、本実施形態の表示装置１００は、単一の画像を分割して閲覧する際にユーザに与える違和感を抑制することができる。
【０１４５】
以上説明したように、本実施形態の表示装置１００は、連結手段としてワイヤー１０３〜１０６を採用し、各ワイヤーは第１のパネル１０１の第１の表示部１０１ａの縁部と、第２の表示部１０２ａが設けられている面の縁部で固定される構成である。また、各ワイヤーは、一方の端部が固定された第１のパネル１０１および第２のパネル１０２の面とは異なる面と接しつつ、第１のパネル１０１と第２のパネル１０２の間を通過して、他方の端部で固定される構成である。
【０１４６】
なお、本実施形態の表示装置１００は、各ワイヤーが、一方のパネル（筐体）に一方の端部が固定され、当該パネルの異なる３つの角部と接触しつつ、他方のパネル（筐体）に他方の端部が固定される。この際、各ワイヤーは、他方のパネルの１つの角部と接触している。そして、パネル同士の相対的な配置を変更することで、各ワイヤーが異なる３つの角部と接触するパネルと、１つの角部と接触するパネルとが変化する（入れ替わる）。
【０１４７】
例えば、表示装置１００が横展開状態である場合に、ワイヤー１０３は、第１のパネル１０１の異なる３つの角部（角部１０１ｇ１、１０１ｈ１、１０１ｉ１）と接し、第２のパネル１０２の１つの角部（角部１０２ｊ１）と接する。これに対して、表示装置１００が縦展開状態である場合、ワイヤー１０３は、第２のパネル１０２の異なる３つの角部（角部１０２ｈ１、１０２ｉ１、１０２ｊ１）と接し、第１のパネル１０１の１つの角部（角部１０１ｇ１）と接する。
【０１４８】
以上説明したように、ワイヤー１０３は、表示装置１００が横展開状態である場合に、第２のパネルの角部よりも第１のパネル１０１の角部と多く接する。そして、ワイヤー１０３は、表示装置１００が縦展開状態である場合に、第１のパネル１０１の角部よりも第２のパネル１０２の角部と多く接する。すなわち、本実施形態の表示装置１００は、横展開状態と縦展開状態とで、接する角部が多いパネルが入れ替わる。
【０１４９】
本実施形態の表示装置１００は、少なくとも上述した構成を採用することによって、ユーザによる状態の変更（展開および折り畳み）動作に応じて、収納状態Ａ、収納状態Ｂ、両面状態、横展開状態、縦展開状態へと自由に変形させることができる。すなわち、本実施形態の構成を採用することによって、表示部を備えた複数の筐体を、それぞれが直交する複数の方向に展開することができる表示装置を提供することができる。
【０１５０】
また、本実施形態の表示装置１００は、単一の画像を分割して表示させる場合に、展開状態に応じた適切な大きさの画像を、第１の表示部１０１ａおよび第２の表示部１０２ａへとそれぞれ表示させる構成である。したがって、本実施形態の表示装置１００は、各パネル間において、延長線上に位置する辺同士が異なるように、各パネル同士の相対的な配置を変更しつつ、表示装置１００の状態に応じた画像を各表示部に表示させることができる。
【０１５１】
（第２実施形態）
前述した第１実施形態では、ワイヤー１０３〜１０６を固定する各固定部を、第１のパネル１０１と第２のパネル１０２のＡ面に設けるような構成であった。本実施形態では、第１のパネル１０１と第２のパネル１０２のＡ面以外の面に固定部を設ける構成について図１１〜１３を参照して説明する。
【０１５２】
図１１は、本発明を実施する表示装置の第２実施形態である表示装置２００の構成を説明する図である。図１２は、本発明を実施する表示装置の第２実施形態である表示装置３００の構成を説明する図である。図１３は、本発明を実施する表示装置の第２実施形態である表示装置４００の構成を説明する図である。なお、図１１〜１３に示す各表示装置の基本的な構成は、前述した第１実施形態の表示装置１００と略同一である。以降は、本実施形態に係る各表示装置について、前述した第１実施形態に係る表示装置１００とは異なる構成について説明する。
【０１５３】
図１１に図示するように、本変形例の表示装置２００は、第１のパネル２０１の右側面（溝部２０１ｃ１、２０１ｃ２が形成される面の反対側の面）と、第２のパネル２０２の左側面（溝部２０２ｃ１、２０２ｃ２が形成される面の反対側の面）をＣ面とする。また、本変形例の表示装置２００は、第１のパネル２０１と第２のパネル２０２の上側面（溝部２０１ｂ１、２０１ｂ２、２０２ｂ１、２０２ｂ２が形成される面の反対側の面）をＤ面とする。
【０１５４】
図１１に図示するように、表示装置２００は、固定部２０１ｅ２および固定部２０２ｅ２が第１のパネル２０１および第２のパネル２０２のＣ面に形成されている。また、表示装置２００は、固定部２０１ｆ２および固定部２０２ｆ２が第１のパネル２０１および第２のパネル２０２のＤ面に形成されている。
【０１５５】
表示装置２００のワイヤー２０４は、一方の端部が固定部２０１ｅ２に固定され、他方の端部が固定部２０２ｆ２に固定される。また、ワイヤー２０６は、一方の端部が固定部２０２ｅ２に固定され、他方の端部が固定部２０１ｆ２に固定される。
【０１５６】
次に、図１２に図示するように、表示装置３００は、固定部３０１ｅ２および固定部３０２ｅ２が第１のパネル３０１および第２のパネル３０２のＢ面に形成されている。また、表示装置３００は、固定部３０１ｆ２および固定部３０２ｆ２が第１のパネル３０１および第２のパネル３０２のＢ面に形成されている。
【０１５７】
表示装置３００のワイヤー３０４は、一方の端部が固定部３０１ｅ２に固定され、他方の端部が固定部３０２ｆ２に固定される。また、ワイヤー３０６は、一方の端部が固定部３０２ｅ２に固定され、他方の端部が固定部３０１ｆ２に固定される。
【０１５８】
次に、図１３に図示するように、表示装置４００は、固定部４０１ｅ２および固定部４０２ｅ２が第１のパネル４０１および第２のパネル４０２の上側面（表示装置２００のＤ面と同一）に形成されている。また、表示装置４００は、固定部４０１ｆ２および固定部４０２ｆ２が第１のパネル４０１および第２のパネル４０２の上側面に形成されている。
【０１５９】
表示装置４００のワイヤー４０４は、一方の端部が固定部４０１ｅ２に固定され、他方の端部が固定部４０２ｆ２に固定される。また、ワイヤー４０６は、一方の端部が固定部４０２ｅ２に固定され、他方の端部が固定部４０１ｆ２に固定される。
【０１６０】
以上説明した表示装置２００〜４００においては、前述した実施形態とは異なり、ワイヤー２０４、３０４、４０４とワイヤー２０６、３０６、４０６を、第１のパネル２０１と第２のパネル２０２のＡ面以外の面で固定するような構成である。この構成であっても、前述した第１実施形態と同様に、ユーザの操作に応じて、表示装置の状態を収納状態Ａ、収納状態Ｂ、両面状態、横展開状態、縦展開状態へと自由に変更させることができる。
【０１６１】
したがって、本実施形態の構成を採用することによって、各筐体間において、延長線上に位置する辺同士が異なるように、各筐体同士の相対的な配置を変更可能な表示装置を提供することができる。
【０１６２】
以上説明したように、本実施形態の表示装置２００〜４００では、各ワイヤーが、一方のパネル（筐体）に一方の端部が固定され、当該パネルの異なる３つ以上の角部と接触しつつ、他方のパネル（筐体）に他方の端部が固定される。この際、各ワイヤーは、他方のパネルの１つ以上の角部と接触している。そして、パネル同士の相対的な配置を変更することで、各ワイヤーが異なる３つ以上の角部と接触するパネルが変化する。
【０１６３】
したがって、上述した構成を採用した本実施形態の表示装置であっても、前述した第１実施形態の表示装置と同様に、各パネル間において、延長線上に位置する辺同士が異なるように、各パネル同士の相対的な配置を変更することが出来る。
【０１６４】
なお、上述した本実施形態の各表示装置は、状態の変更（展開および折り畳み）操作に応じて、各ワイヤーを支持する位置がそれぞれ変化するが、各ワイヤーの基本的な動きは、前述した第１実施形態と略同一なので説明を省略する。
【０１６５】
（変形例）
本変形例では、前述した実施形態に係る表示装置と略同一の構成を有する表示装置６００を備えた撮像装置５００について図１４〜２０を参照して説明する。図１４〜図２０は、本発明を実施する表示装置の変形例である表示装置６００を備えた撮像装置５００の構成を説明する三面図であって、それぞれ表示装置の状態、および撮像装置における表示装置の位置が異なる例を示している。なお、本変形例では、前述した第１実施形態の表示装置１００を適用した撮像装置について例示的に説明する。
【０１６６】
図１４は、本変形例に係る撮像装置５００を構成する表示装置６００が両面状態かつ第１の表示位置に位置しており、第１の表示部６０１がユーザ側を向いている状態を例示的に説明する図である。
【０１６７】
図１５は、本変形例に係る撮像装置５００を構成する表示装置６００が両面状態かつ第２の表示位置に位置しており、第１の表示部６０２がユーザ方向を向いている状態を例示的に説明する図である。
【０１６８】
図１６は、本発明の変形例に係る撮像装置５００を構成する表示装置６００が縦展開状態かつ第２の表示位置に位置しており、第１の表示部６０１および第２の表示部６０２がユーザ方向を向いている状態を例示的に説明する図である。
【０１６９】
図１７は、本発明の変形例に係る撮像装置５００を構成する表示装置６００が横展開状態かつ第２の表示位置に位置しており、第１の表示部６０１および第２の表示部６０２がユーザ方向を向いている状態を例示的に説明する図である。
【０１７０】
図１８は、本発明の変形例に係る撮像装置５００を構成する表示装置６００が縦展開状態かつ第２の表示位置に位置しており、第１の表示部６０１および第２の表示部６０２がユーザ方向の反対を向いている状態を例示的に説明する図である。
【０１７１】
図１９は、本発明の変形例に係る撮像装置５００を構成する表示装置６００が縦展開状態かつ第１の表示位置に位置しており、第１の表示部６０１および第２の表示部６０２がユーザ方向を向いている状態を例示的に説明する図である。
【０１７２】
図２０は、本発明の変形例に係る撮像装置５００を構成する表示装置６００が収納状態かつ第１の表示位置に位置している状態を例示的に説明する図である。なお、各図において、後述するレンズユニット５００ｂによる被写体の撮像方向をＺ方向とし、当該Ｚ方向と直交する撮像装置５００の長手方向をＸ方向、当該Ｚ方向と直交する撮像装置５００の短手方向をＹ方向とする。
【０１７３】
撮像装置５００は、カメラ本体５００ａとレンズユニット５００ｂとによって構成されており、カメラ本体５００ａに対して取り外し可能なレンズユニット５００ｂを、カメラ本体５００ａに取り付けている状態である。
【０１７４】
カメラ本体５００ａは、ＣＣＤやＣＭＯＳなどによって構成された撮像素子を含む不図示の撮像手段を備えている。カメラ本体５００ａの背面側（撮像方向側とは反対側）には後述する表示装置６００が備えられている。
【０１７５】
レンズユニット５００ｂは、カメラ本体５００ａに取り付けられた状態で、被写体の光学像をカメラ本体５００ａへと導き、前述した撮像素子上に結像させることができる。ユーザは、カメラ本体５００ａの不図示の操作手段を操作することで、撮像素子上に結像した光学像を撮像することができる。
【０１７６】
次に、撮像によって取得された画像データは、カメラ本体５００ａの内部に設けられた不図示のカメラマイコン（ＣＰＵ）によって種々の処理および変換を施された後に不図示のメモリ等に記録される。
【０１７７】
次に、カメラマイコンは、メモリ内に記録された画像データを読み出し、表示用の画像に変換する。そして、カメラマイコンは、変換後の表示用の画像に関する情報を表示装置６００の表示制御回路１１０へと送信する。そして、表示制御回路１１０は、取得した画像に関する情報に基づいて、前述した第１実施形態で説明した表示制御を実行する。以降の説明は、前述した第１実施形態と同様なので説明は省略する。
【０１７８】
なお、前述した第１実施形態とは異なり、本変形例の表示装置６００としては、表示制御回路１１０と表示制御回路１２０を設けないような構成であってもよい。この場合、前述した撮像装置５００に設けられたカメラマイコンが、表示制御回路１１０、１２０と同様の制御を実行する構成であればよい。
【０１７９】
表示装置６００は、カメラ本体５００ａのＸ方向の側面に設けられたヒンジ部５０１によってカメラ本体５００ａに回動可能に固定されている。ヒンジ部５０１は、表示装置６００を、Ｘ方向と平行な軸１およびＹ方向と平行な軸２を中心に回転可能に保持している。
【０１８０】
ヒンジ部５０１は、撮像装置５００の背面側において、撮像装置５００に種々の情報を入力する操作部が設けられた側とは反対側の縁部に設けられている。本変形例では、上述した操作部が撮像装置５００の背面右側に設けられているため、ヒンジ部５０１は、撮像装置５００の背面左側に設ける。
【０１８１】
撮像装置５００は、図１４に図示する表示装置６００のＸ方向の位置（以下、第１の表示位置と称する）では、軸２を回動軸として表示装置６００を回動させることができる。また、撮像装置５００は、図１５に図示する表示装置６００のＸ方向の位置（以下、第２の表示位置と称する）では、軸１および軸２を回動軸として表示装置６００を回動させることができる。なお、ヒンジ部５０１は、図１４に図示する回動軸１が表示装置６００の各パネルの長辺と略平行となり、回動軸２が各パネルの短辺と略平行となるように設けられている。
【０１８２】
以下、表示装置６００の展開及び折り畳み動作について説明する。本変形例の表示装置６００を構成する各部は、前述した第１実施形態の表示装置１００を構成する各部と略同一である。したがって、図１４〜２０に図示する第１のパネル６０１、第２のパネル６０２、第１の表示部６０１ａ、第２の表示部６０２ａ、各ワイヤー６０３〜６０６説明は省略する。なお、表示装置６００に設けられた各ワイヤーの動作については、前述した実施形態と同様なので説明は省略する。なお、図中の矢印の方向が表示装置６００の回動方向である。
【０１８３】
図１４に図示する表示装置６００の状態で、撮像装置５００は、第１の表示部６０１を撮像装置５００の背面液晶として使用することができる。この状態から、ヒンジ部５０１の軸２を中心に表示装置６００を相対的に略１８０度回動させた状態が図１５である。
【０１８４】
図１５に図示するように、表示装置６００がカメラ本体５００ａのＸ方向に突出した状態で、撮影者側から第１の表示部６０１を閲覧することができ、撮像対象の被写体側から第２の表示部６０２を閲覧することができる。
【０１８５】
ユーザは、第１のパネル６０１および第２のパネル６０２をカメラ本体５００ａに干渉させることなく、表示装置６００を、図１５に図示する状態から縦展開状態（図１６に図示）や、横展開状態（図１７に図示）へと変更させることができる。
【０１８６】
図１８は、図１６に図示する表示装置６００の縦展開状態から、軸１中心にヒンジ部５０１を相対的に略１８０度回動させた状態の撮像装置５００を示している。この状態で、第１の表示部６０１ａと第２の表示部６０２ａとが、撮像対象の被写体側を向く。
【０１８７】
図１９は、図１８に図示する表示装置６００の状態から、軸２中心にヒンジ部５０１を更に相対的に略１８０度回動させた状態の撮像装置５００を示している。この状態で、表示装置６００は第２の表示位置から第１の表示位置へと戻り、第１の表示部６０１ａと第２の表示部６０２ａとが撮影者側を向く。
【０１８８】
この場合、表示装置６００がカメラ本体５００ａの背後（背面側）に配置されるため、図１６に図示した撮像装置５００の状態に対して撮像装置５００を小型化しつつ、表示装置６００を縦展開状態に展開することができる。
【０１８９】
図２０は、図１９に図示する表示装置６００の縦展開状態から、第１のパネル６０１の第１の表示部６０１ａを撮像対象の被写体側に向けて相対的に略１８０度回動させた状態の撮像装置５００を示している。この状態で、第１の表示部６０１ａと第２の表示部６０２ａの双方を向かい合わせた状態（収納状態）にすることで、両表示部を保護することができる。
【０１９０】
以上説明したように、前述した実施形態の表示装置１００と略同一の構成を有する表示装置６００を撮像装置５００に適用させた場合であっても、撮像装置５００の外形に干渉させずに表示装置６００の状態を変更できる。したがって、本変形例の撮像装置５００を構成する表示装置６００は、各パネル間において、延長線上に位置する辺同士が異なるように、各パネル同士の相対的な配置を変更することができる。
【０１９１】
以上、本発明の好ましい実施形態および変形例について説明したが、本発明はこれらに限定されず、その要旨の範囲内で種々の変形及び変更が可能である。上述した実施形態および変形例では、表示装置の展開状態において、元画像を分割した画像を第１の表示部と第２の表示部とに表示させるような構成について説明したが、これに限定されるものではない。例えば、表示装置の展開状態において、第１の表示部または第２の表示部の何れか一方のみに元画像を表示させるような構成であってもよい。
【０１９２】
ここで、元画像を表示させていない表示部に、元画像以外の画像を表示させるような構成であってもよい。例えば、一方の表示部に表示させている画像に関する情報や、一方の表示部に表示させている画像と時間的に連続して取得した画像などを、他方の表示部に表示させるような構成であってもよい。
【０１９３】
また、前述した実施形態および変形例では、表示装置の横展開状態および縦展開状態で、各ワイヤーが、２つのパネルにそれぞれ異なる端部が固定されつつ、一方のパネルの異なる３つ以上の角部と接触する構成であったが、これに限定されるものではない。例えば、前述した第１実施形態のワイヤー１０３、１０５の一方の端部を第１のパネルの下側面に固定し、他方の端部を第２のパネルの右側面に固定するような構成であってもよい。逆に、前述した第１実施形態のワイヤー１０４、１０６の一方の端部を第２のパネルの下側面に固定し、他方の端部を第１のパネルの左側面に固定するような構成であってもよい。
【０１９４】
この場合、ワイヤー１０３は、表示装置が横展開状態で第１のパネル１０１の角部１０１ｈ１と角部１０１ｉ１と接触し、表示装置が縦展開状態で第２のパネル１０２の角部１０２ｉ１と角部１０２ｈ１と接触する。同様に、ワイヤー１０４〜１０６も各ワイヤーに対応する角部と接触する。この構成であれば、各ワイヤーの長さを短くすることができるので、各ワイヤーに掛るコストを抑制した表示装置を提供することができる。また、上述した構成であれば、各ワイヤーが各パネルのＡ面と面することはない。この場合、各パネル同士を連結するワイヤーをユーザの目に触れにくい位置へと配することができるため、ユーザに与える違和感を抑制した表示装置を提供することができる。
【０１９５】
以上説明したように、各ワイヤーが、一方のパネル（筐体）に一方の端部が固定され、当該パネルの異なる２つ以上の角部と接触しつつ、他方のパネル（筐体）に他方の端部が固定される。そして、パネル同士の相対的な配置を変更（例えば、横展開状態から縦展開状態へと変更）することで、各ワイヤーが異なる２つ以上の角部と接触するパネルが変化する。本発明を実施する表示装置としては、少なくとも上述した構成を有することで、各パネル間において、延長線上に位置する辺同士が異なるように、各パネル同士の相対的な配置を変更することが出来る。
【０１９６】
なお、一方のパネルの異なる２つ以上の角部と接触する表示装置は、横展開状態や縦展開状態において、各ワイヤーの端部が各パネルの側面に固定されているので、各パネル間でワイヤー同士が交差する位置が、表示装置の厚み方向における所定の方向に偏る。これに対して、横展開状態や縦展開状態において、各ワイヤーが一方のパネルの３つ以上の異なる角部と接触する表示装置は、各パネル同士を連結するワイヤー同士が交差する位置を、表示装置の厚み方向における略中央にすることができる。したがって、前述した実施形態および変形例の表示装置は、横展開様態および縦展開状態において、各パネル同士の厚み方向の位置合わせを正確に行うことができる。
【０１９７】
また、前述した実施形態および変形例では、２つのパネル（第１のパネルおよび第２のパネル）を展開および折り畳みすることができる表示装置について説明したが、本発明はこれに限定されるものではない。例えば、表示装置は、２つ以上のパネルをそれぞれ展開および折り畳むことができる構成であってもよい。
【０１９８】
また、前述した実施形態および変形例では、第１のパネルおよび第２のパネルの表面に溝部が形成されているような構成であったが、これに限定されるものではない。例えば、表示装置の展開および折り畳み動作に伴って所定以上のゆるみが発生しないような張力で各ワイヤーが保持されていれば、第１のパネルと第２のパネルに溝部を形成されていないような構成であってもよい。この場合、各ワイヤーとしては、伸縮可能な弾性材料を採用することが望ましい。そして、各ワイヤーに付加する張力としては、前述した実施形態や変形例の表示装置の状態と比較して、各ワイヤーが通過する第１のパネルおよび第２のパネル上の位置が変化しないような力であることが望ましい。
【符号の説明】
【０１９９】
１００  表示装置（第１実施形態）
１０１  第１のパネル（第１実施形態）
１０１ａ  第１の表示部（第１実施形態）
１０２  第２のパネル（第１実施形態）
１０２ａ  第２の表示部（第１実施形態）
１０３  ワイヤー（第１実施形態）
１０４  ワイヤー（第１実施形態）
１０５  ワイヤー第１実施形態）
１０６  ワイヤー第１実施形態）
２００  表示装置（第２実施形態）
２０１  第１のパネル（第２実施形態）
２０１ａ  第１の表示部（第２実施形態）
２０２  第２のパネル（第２実施形態）
２０２ａ  第２の表示部（第２実施形態）
２０３  ワイヤー（第２実施形態）
２０４  ワイヤー（第２実施形態）
２０５  ワイヤー（第２実施形態）
２０６  ワイヤー（第２実施形態）
３００  表示装置（第２実施形態）
３０１  第１のパネル（第２実施形態）
３０１ａ  第１の表示部（第２実施形態）
３０２  第２のパネル（第２実施形態）
３０２ａ  第２の表示部（第２実施形態）
３０３  ワイヤー（第２実施形態）
３０４  ワイヤー（第２実施形態）
３０５  ワイヤー（第２実施形態）
３０６  ワイヤー（第２実施形態）
４００  表示装置（第２実施形態）
４０１  第１のパネル（第２実施形態）
４０１ａ  第１の表示部（第２実施形態）
４０２  第２のパネル（第２実施形態）
４０２ａ  第２の表示部（第２実施形態）
４０３  ワイヤー（第２実施形態）
４０４  ワイヤー（第２実施形態）
４０５  ワイヤー（第２実施形態）
４０６  ワイヤー（第２実施形態）
【図１】
0006570267.tif 000002
【図２】
0006570267.tif 000003
【図３】
0006570267.tif 000004
【図４】
0006570267.tif 000005
【図５】
0006570267.tif 000006
【図６】
0006570267.tif 000007
【図７】
0006570267.tif 000008
【図８】
0006570267.tif 000009
【図９】
0006570267.tif 000010
【図１０】
0006570267.tif 000011
【図１１】
0006570267.tif 000012
【図１２】
0006570267.tif 000013
【図１３】
0006570267.tif 000014
【図１４】
0006570267.tif 000015
【図１５】
0006570267.tif 000016
【図１６】
0006570267.tif 000017
【図１７】
0006570267.tif 000018
【図１８】
0006570267.tif 000019
【図１９】
0006570267.tif 000020
【図２０】
0006570267.tif 000021